(57)【特許請求の範囲】
【請求項１】
再生した映像を表示装置に供給する映像供給部と、
上記映像供給部が供給した映像を上記表示装置が表示していない場合にその旨を示す情報を返却するよう、上記表示装置に指示する指示手段と、を備え、
上記表示装置は周囲の照度を検知することが可能になっており、
上記指示手段の上記表示装置に対する指示は、上記表示装置が所定の閾値以上の照度を検知した場合にも上記情報を返却するような指示であることを特徴とする再生装置。
【請求項２】
上記指示手段による指示により上記情報が返却された場合、上記映像供給部が上記映像を上記表示装置に供給するのを停止することを特徴とする請求項１に記載の再生装置。
【請求項３】
上記映像供給部を動作させるために要する動作電力を供給する電力源と、上記電力源による電力の供給を制御する給電制御手段と、を更に備え、
上記指示手段による指示により上記情報が返却された場合、上記給電制御手段は、上記電力源から上記映像供給部に上記動作電力が供給されないよう制御することを特徴とする請求項２に記載の再生装置。
【請求項４】
上記電力源は充電池であり、
上記表示装置とは、上記映像供給部が供給する映像が通過する信号線と、上記指示手段による指示を表わす指示コマンドが通過する信号線と、上記表示装置から当該再生装置に電力が供給される信号線と、を含むケーブルにより接続されており、
上記表示装置から上記信号線を介して供給される上記電力により上記充電池を充電する充電回路をさらに備えていることを特徴とする請求項３に記載の再生装置。
【請求項５】
上記表示装置は周囲に人が存在することを認識可能になっており、
上記指示手段の上記表示装置に対する指示は、上記表示装置が周囲に人が存在することを認識していない場合にも上記情報を返却するような指示であることを特徴とする請求項１から４のいずれか１項に記載の再生装置。
【請求項６】
再生装置から供給された映像を表示部に表示する表示制御手段と、
上記映像が上記表示部に表示されているか否かを判定する判定手段と、
周囲の照度が所定の閾値より高いことを検知する検知手段と、
上記映像が上記表示部に表示されていないと上記判定手段が判定した場合にも周囲の照度が上記所定の閾値より高いと上記検知手段が検知した場合にも、当該映像を供給した再生装置に対し、当該映像が表示されていない旨を示す情報を送信する送信手段と、を備えていることを特徴とする表示装置。
【請求項７】
請求項６に記載の表示装置が備える各手段を備えていることを特徴とするテレビジョン受像機。
【請求項８】
請求項１から５のいずれか１項に記載の再生装置と、上記表示装置と、を含むシステムであって、
上記再生装置と上記表示装置とは、上記映像供給部が供給する映像と、上記指示手段による指示を表わす指示コマンドと、上記情報と、を伝送可能なように接続されていることを特徴とするシステム。
【請求項９】
複数の上記再生装置を含み、
上記表示装置は、上記指示コマンドを送信した再生装置に対して、上記情報として各再
生装置を識別する識別情報を返却するようになっており、
上記表示装置が返却する上記識別情報は、上記表示装置が表示している映像を上記表示装置に供給した再生装置の識別情報であることを特徴とする請求項８に記載のシステム。
【請求項１０】
上記表示装置は、上記指示コマンドを送信した再生装置のメーカーを識別するメーカー識別手段を備え、
上記表示装置は、当該再生装置のメーカーが特定のメーカーであると上記メーカー識別手段が識別した場合に限り、上記情報を当該再生装置に返却することを特徴とする請求項８に記載のシステム。
【請求項１１】
映像を再生する再生装置が上記映像を表示する表示装置の状態を認識する認識方法であって、
再生した映像を上記表示装置に供給する映像供給工程と、
上記映像供給工程にて供給された映像を上記表示装置が表示していない場合にその旨を示す情報を返却するよう、上記表示装置に指示する指示工程と、を含み、
上記表示装置は周囲の照度を検知することが可能になっており、
上記指示工程における上記表示装置に対する指示は、上記表示装置が所定の閾値以上の照度を検知した場合にも上記情報を返却するような指示であることを特徴とする認識方法。
【請求項１２】
コンピュータを請求項１から５までの何れか１項に記載の再生装置として動作させるためのプログラムであって、上記コンピュータを上記再生装置が備えている上記各手段として機能させるプログラム。
【請求項１３】
請求項１２に記載のプログラムが記録されたコンピュータ読み取り可能な記録媒体。
【発明の詳細な説明】
【技術分野】
【０００１】
本発明は、映像を表示する表示装置に再生した映像を供給する再生装置、およびそのような再生装置から供給された映像を表示するテレビジョン受像機等の表示装置に関する。また、そのような再生装置において表示装置の状態を認識する認識方法に関する。更に、そのような再生装置を含むシステム、そのような再生装置としてコンピュータを動作させるためのプログラム、及び、そのようなプログラムが記録された記録媒体に関する。
【背景技術】
【０００２】
近年、ＨＤＭＩ（High-Definition Multimedia Interface）規格に準拠したインターフェースを搭載するテレビ（テレビジョン受像機）やＰＣ（Personal Computer）が普及し、これらのシンク機器とソース機器（例えばＡＶ機器や携帯電話等）とをＨＤＭＩケーブルを介して接続することが一般的となっている。ＨＤＭＩケーブルを介して接続されたシンク機器とソース機器とは、映像データおよび音声データに加え、ＣＥＣ（Consumer Electronics Control）コマンドを互いに送受信することができる。
【０００３】
ＨＤＭＩケーブルによって接続された機器間で送受信されるＣＥＣコマンドには、送信元および／または送信先の論理アドレスおよび／または物理アドレスが引数として含まれる。ＨＤＭＩケーブルによって接続された各機器は、ＣＥＣコマンドに含まれる論理アドレスおよび／または物理アドレスによって、そのＣＥＣコマンドの送信元および／または送信先を特定する。
【０００４】
ここで、論理アドレスは、機器種別（テレビ、レコーダ、プレーヤ、チューナ、オーディオ、その他の何れか）を示す０から１４までの整数によって表現される。例えば、テレビには論理アドレス「０」が割り振られ、１台目のレコーダには論理アドレス「１」が割り振られ、２台目のレコーダには論理アドレス「２」が割り振られる。
【０００５】
ＣＥＣコマンドを用いれば、シンク機器からソース機器を制御したり、ソース機器からシンク機器を制御したりすることによって、これまでにはなかった利便性をユーザに提供することが可能になる。例えば、シンク機器の入力ソースを、コンテンツの再生を開始したソース機器に自動的に切り替えることができる。ＨＤＭＩの詳細については、非特許文献１に記載がある。
【０００６】
ところで、環境保護に対する意識の高まりなどから、機器の消費電力を削減するための様々な試みがなされている。
【０００７】
例えば、特許文献１には、消費電力は小さいが通常モードへの復帰が遅い低消費電力モードと、消費電力は大きいが通常モードへの復帰が速い高速起動モードと、の２種類のスタンバイモードを有する録画再生装置が開示されている。この録画再生装置は、スタンバイモードになっている間、ＨＤＭＩケーブルを介して接続されているテレビの電源状態を定期的にＣＥＣコマンドを用いて確認するようになっている。そして、テレビの電源が入っていると確認した場合に高速起動モードに移行し、テレビの電源が入っていないと確認した場合に低消費電力モードに移行するようになっている。
【０００８】
また、ＨＤＭＩ規格に準拠した処理に関連するものではないが、機器の消費電力を削減するための技術が特許文献２および特許文献３に開示されている。
【０００９】
特許文献２には、計算機と計算機を覆う開閉可能なカバーとを備えた計算機システムが開示されている。この計算機システムは、計算機のＣＰＵが動作しているときにカバーが閉じられたことを検出するとＣＰＵを停止するように構成されている。また、特許文献３には、消費電力の異なる２つの状態を取り得る情報処理装置が開示されている。この情報処理装置は、無入力状態が一定時間続くと消費電力の小さい状態に遷移し、特定のキーと特定のキー以外のキーとのうち、特定のキーの入力を検出した場合に限り消費電力の大きい状態に遷移するようになっている。
【先行技術文献】
【特許文献】
【００１０】
【特許文献１】特開２００９−３０１６３３号公報（２００９年１２月２４日公開）
【特許文献２】特開平６−３３２５６４号公報（１９９４年１２月２日公開）
【特許文献３】特開２００５−１８７０５号公報（２００５年１月２０日公開）
【非特許文献】
【００１１】
【非特許文献１】High-Definition Multimedia Interface Specification Version 1.3a,November 10 2006
【発明の概要】
【発明が解決しようとする課題】
【００１２】
上記従来の構成でも、外部に表示装置を接続して再生映像を自装置から表示装置に供給することにより、再生映像を表示装置に表示させることが可能である。
【００１３】
ところが、上記従来の構成では、自装置が供給している再生映像を表示装置が表示していない場合にそのことを自装置が把握することができないので、表示装置が再生映像を表示していない場合にそれに応じた適切な処理を行うことができない。例えば、自装置が供給している再生映像を表示装置が表示しなくなった場合には、自装置における電力の浪費を抑制するために、再生映像を表示装置に供給するのを停止するといった処理を行うことができない。
【００１４】
本発明は、上記の課題に鑑みてなされたものであり、その主な目的は、表示装置に供給している再生映像を表示装置が表示していないことを認識することが可能な再生装置を実現することにある。
【課題を解決するための手段】
【００１５】
上記の課題を解決するために、本発明に係る再生装置は、再生した映像を表示装置に供給する映像供給部と、上記映像供給部が供給した映像を上記表示装置が表示していない場合にその旨を示す情報を返却するよう、上記表示装置に指示する指示手段と、を備えていることを特徴としている。
【００１６】
なお、上記表示装置は、（１）上記映像供給部が供給した映像を表示していないときに、映像を表示していないことを示す情報（請求項に記載した「情報」と同じ）を返却し、上記映像供給部が供給した映像を表示しているときに、何も情報を返却しないものであってもよいし、（２）上記映像供給部が供給した映像を表示していないときに、映像を表示していないことを示す第１の情報（請求項に記載した「情報」と同じ）を返却し、上記映像供給部が供給した映像を表示しているときに、映像を表示していることを示す第２の情報（第１の情報とは異なる情報）を返却するものであってもよい。
【００１７】
上記の構成によれば、本発明に係る再生装置は、上記情報が上記表示装置から返却されれば、上記再生装置が供給した映像を上記表示装置が表示していない場合に、そのことを認識することができるという効果を奏する。
【００１８】
また、上記課題を解決するために、本発明に係る認識方法は、映像を再生する再生装置が上記映像を表示する表示装置の状態を認識する認識方法であって、再生した映像を上記表示装置に供給する映像供給工程と、上記映像供給工程にて供給された映像を上記表示装置が表示していない場合にその旨を示す情報を返却するよう、上記表示装置に指示する指示工程と、を含んでいることを特徴としている。
【００１９】
上記の構成によれば、本発明に係る認識方法は、本発明に係る再生装置と同様の作用効果を奏する。
【００２０】
本発明に係る再生装置は、上記指示手段による指示により上記情報が返却された場合、上記映像供給部が上記映像を上記表示装置に供給するのを停止することが望ましい。
【００２１】
上記の構成によれば、上記再生装置は、表示装置に供給した映像を表示装置が供給していないことを認識した場合に、上記映像供給部が上記映像を上記表示装置に供給するのを停止する。
【００２２】
したがって、表示装置に映像が表示されていないにも関わらず表示装置に映像を供給してしまうことによる無駄な電力の消費を抑制することができるというさらなる効果を奏する。
【００２３】
また、本発明に係る再生装置は、上記映像供給部を動作させるために要する動作電力を供給する電力源と、上記電力源による電力の供給を制御する給電制御手段と、を更に備え、上記指示手段による指示により上記情報が返却された場合、上記給電制御手段は、上記電力源から上記映像供給部に上記動作電力が供給されないよう制御することが望ましい。
【００２４】
上記の構成によれば、上記再生装置は、表示装置に供給した映像を表示装置が供給していないことを認識した場合に、上記給電制御手段は、上記電力源から上記映像供給部に上記動作電力が供給されないよう制御する。
【００２５】
したがって、表示装置に映像が表示されていないにも関わらず上記電力源から上記映像供給部に動作電力を供給してしまうという無駄な電力の消費を抑制することができるというさらなる効果を奏する。
【００２６】
本発明に係る再生装置では、上記電力源は充電池であり、上記表示装置とは、上記映像供給部が供給する映像が通過する信号線と、上記指示手段による指示を表わす指示コマンドが通過する信号線と、上記表示装置から当該再生装置に電力が供給される信号線と、を含むケーブルにより接続されており、上記表示装置から上記信号線を介して供給される上記電力により上記充電池を充電する充電回路をさらに備えていることが望ましい。
【００２７】
上記の構成によれば、上記再生装置は、表示装置からケーブルの信号線を介して電力が供給されていれば、商用電源に接続されていなくとも、充電池を充電することができるというさらなる効果を奏する。
【００２８】
本発明に係る再生装置では、上記表示装置は周囲に人が存在することを認識可能になっており、上記指示手段の上記表示装置に対する指示は、上記表示装置が周囲に人が存在することを認識していない場合にも上記情報を返却するような指示であることが望ましい。
【００２９】
上記の構成によれば、上記再生装置は、上記表示装置の周囲に上記表示装置に供給する映像を鑑賞する鑑賞者がいない場合にそのことを認識できるというさらなる効果を奏する。
【００３０】
本発明に係る再生装置では、上記表示装置は周囲の照度を検知することが可能になっており、上記指示手段の上記表示装置に対する指示は、上記表示装置が所定の閾値以上の照度を検知した場合にも上記情報を返却するような指示であることが望ましい。
【００３１】
上記の構成によれば、上記再生装置は、上記表示装置の周囲に非常に明るい場合にそのことを認識できるというさらなる効果を奏する。
【００３２】
また、本発明に係る表示装置は、上記課題を解決するために、再生装置から供給された映像を表示部に表示する表示制御手段と、上記映像が上記表示部に表示されているか否かを判定する判定手段と、上記映像が上記表示部に表示されていないと上記判定手段が判定した場合に、当該映像を供給した再生装置に対し、当該映像が表示されていない旨を示す情報を送信する送信手段と、を備えていることを特徴としている。
【００３３】
上記の構成によれば、上記表示装置は、再生装置から供給された再生映像を表示装置が表示していない場合に、表示していないことを再生装置に認識させることが可能であるという効果を奏する。なお、上記表示装置は、上記表示装置の各手段を備えるようなテレビジョン受像機とすることができる。
【００３４】
また、本発明は、上記再生装置と、上記表示装置と、を含むシステムであって、上記再生装置と上記表示装置とは、上記映像供給部が供給する映像と、上記指示手段による指示を表わす指示コマンドと、上記情報と、を伝送可能なように接続されているシステムとして実現することもできる。
【００３５】
本発明に係るシステムは、複数の上記再生装置を含み、上記表示装置は、上記指示コマンドを送信した再生装置に対して、上記情報として各再生装置を識別する識別情報を返却するようになっており、上記表示装置が返却する上記識別情報は、上記表示装置が表示している映像を上記表示装置に供給した再生装置の識別情報であることが望ましい。
【００３６】
上記の構成によれば、上記システムでは、上記表示装置は、上記指示コマンドを送信した上記再生装置から供給されている映像を表示している場合には、当該再生装置に当該再生装置を識別する識別情報を返却することになる。
【００３７】
したがって、上記システムは、上記再生装置は、上記識別情報に自身の識別情報が含まれているか否かを判定することにより、表示装置に供給している映像を表示装置が表示しているか否かを認識することができるというさらなる効果を奏する。
【００３８】
本発明に係るシステムでは、上記表示装置が、上記指示コマンドを送信した再生装置のメーカーを識別するメーカー識別手段を備え、上記表示装置は、当該再生装置のメーカーが特定のメーカーであると上記メーカー識別手段が識別した場合に限り、上記情報を当該再生装置に返却することが望ましい。
【００３９】
上記の構成によれば、上記システムは、特定のメーカーの再生装置にのみ、供給した映像を上記表示装置が表示していないことを認識させることができるというさらなる効果を奏する。
【００４０】
また、本発明に係る再生装置を動作させるためのプログラムであって、コンピュータを上記の各手段として機能させることを特徴とするプログラム、および、そのプログラムを記録した、コンピュータが読み取り可能な記録媒体も本発明の範疇に含まれる。
【発明の効果】
【００４１】
以上のように、本発明に係る再生装置は、表示装置に供給している再生映像を表示装置が表示していないことを認識することが可能である。
【図面の簡単な説明】
【００４２】
【図１】本発明の実施形態に係る携帯電話端末の構成を示すブロック図である。
【図２】携帯電話端末のメインコントローラおよびＨＤＭＩトランスミッタの構成、並びに、図５に示すテレビ（テレビジョン受像機）が備えているＨＤＭＩレシーバの構成を示す図である。
【図３】図１に示す携帯電話端末と図５に示すテレビとを含むシステムの構成を示す図である。（ａ）は携帯電話端末とテレビとがＨＤＭＩ接続されているシステムを示しており、（ｂ）は、テレビに携帯電話端末とＢＤ（Blu-ray Disc）プレーヤとがそれぞれＨＤＭＩ接続されているシステムを示している。
【図４】テレビと携帯電話端末との他の接続態様を示す図である。（ａ）は、充電台を用いた接続態様を示し、（ｂ）は、テレビから給電する充電台を用いた接続態様を示し、（ｃ）は、テレビのスロットに携帯電話端末を装填する接続態様を示す。
【図５】図３および図４に示すテレビの構成を示すブロック図である。
【図６】図５に示すテレビ（テレビジョン受像機）が有する機能を示す機能ブロック図である。
【図７】図５に示すテレビが利用する管理テーブルの構造及び内容を示す図であり、（ａ）は、携帯電話端末がテレビにＨＤＭＩ接続される前における管理テーブルの内容の一例を示している。また、（ｂ）は、管理テーブルが（ａ）に示す状態のときに携帯電話端末がテレビにＨＤＭＩ接続された場合における更新後の管理テーブルの内容を示している。さらに、（ｃ）は、管理テーブルが（ａ）に示す状態のときにテレビのＬＣＤに表示される映像がＢＤプレーヤからの映像に切り替えられた場合における更新後の管理テーブルの内容を示している。
【図８】携帯電話端末が図５に示すテレビにＨＤＭＩ接続された場合に、テレビが実行する管理テーブル更新処理の例を示すフローチャートである。
【図９】表示する映像の入力元を切り替えるユーザ操作が図５に示すテレビに対して行われた場合に、テレビとＨＤＭＩ接続されている携帯電話端末が行う動作を示すフローチャートである。
【図１０】映像の入力元がユーザ操作によりＢＤプレーヤから携帯電話端末に切り替えられることを模式的に示した図である。
【図１１】図５に示すテレビにおいて映像の入力元が図１０に示すように切り替えられる場合に携帯電話端末、ＢＤプレーヤ、およびテレビの間で行われる動作を含むシーケンス図である。
【図１２】図５に示すテレビとは異なるテレビであって２画面表示機能を備えたテレビの構成を示すブロック図である。
【図１３】図１２に示すテレビにおいて２画面表示される映像の入力元の一方がＢＤプレーヤからテレビのチューナに切り替えられ、さらに入力元の他方が携帯電話端末からＢＤプレーヤに切り替えられることを模式的に示した図である。
【図１４】図１２に示すテレビにおいて映像の入力元が図１３に示すように切り替えられる場合に携帯電話端末、ＢＤプレーヤ、およびテレビの間で行われる動作を含むシーケンス図である。
【図１５】携帯電話端末からテレビに供給される映像がテレビの画面に表示されなくなった場合に、携帯電話端末とテレビとが協調して行う、携帯電話端末を充電する処理を示すフローチャートである。
【図１６】携帯型情報端末からテレビ及びソース機器を操作することができるシステムの一実現例を示すブロック図である。
【図１７】携帯型情報端末のタッチパネルに表示される表示画面の構成例を示す図である。（ａ）は、テレビを操作するための表示画面、（ｂ）は、ソース機器を操作するための表示画面である。
【発明を実施するための形態】
【００４３】
本発明の実施形態について、図面に基づいて説明すれば以下のとおりである。なお、以下の説明においては、シンク機器（出力装置）としてテレビジョン受像機（以下「テレビ」と呼称する）を例示し、ソース機器として携帯電話端末を例示するが、本発明はこれに限定されるものではない。特に、携帯電話端末は、ソース機器として機能する機器の一例に過ぎず、例えば、ＰＤＡ（Personal Digital Assistant）、携帯型デジタルオーディオプレーヤ、カーナビゲーションシステム（移動体端末機器）など他の機器に置換可能である。
【００４４】
〔システムの構成〕
テレビ１と携帯電話端末２とを含むシステム１０の構成について、図３を参照して説明する。図３は、システム１０の構成を示す図である。
【００４５】
図３（ａ）に示すように、システム１０は、ＨＤＭＩ入力端子１１を備えたテレビ１と、ＨＤＭＩ出力端子２１を供えた携帯電話端末２とを含んでおり、テレビ１のＨＤＭＩ入力端子１１と携帯電話端末２のＨＤＭＩ出力端子２１とをＨＤＭＩケーブル３によって接続することにより構成される。システム１０において、携帯電話端末２は、テレビ１にコンテンツを供給するソース機器として機能し、テレビ１は、携帯電話端末２から供給されたコンテンツを出力するシンク機器として機能する。携帯電話端末２が供給し、テレビ１が出力するコンテンツとしては、映像及び音声の何れか一方又は両方が想定される。
【００４６】
また、図３（ｂ）に示すように、システム１０は、Ｎ個（ここでは２個）のＨＤＭＩ入力端子１１ａ、１１ｂを備えたテレビ１と、少なくとも１台の携帯電話端末２を含む合計Ｎ台以下のＨＤＭＩ機器（ここでは、１台の携帯電話端末２と１台のＢＤプレーヤ３０）を含んでいてもよい。この場合、テレビ１が備えるＨＤＭＩ入力端子１１ａ、１１ｂは、それぞれ、携帯電話端末２、ＢＤプレーヤ３０と、ＨＤＭＩケーブル３ａ、３ｂによって接続される。なお、図３（ｂ）に示した例では、携帯電話端末２を台４（後述する充電台４など）に載置することによって、携帯電話端末２がＨＤＭＩケーブル３ａの一端に接続され、テレビ１と携帯電話端末２とのＨＤＭＩ接続が確立されるようになっている。
【００４７】
なお、図３（ｂ）に示すように充電台４を用いてテレビ１と携帯電話端末２とを接続する具体的な接続態様としては、例えば、図４（ａ）および図４（ｂ）に示すような構成が挙げられる。
【００４８】
図４（ａ）に示す充電台４は、ＨＤＭＩ入力端子４１と電源端子４２とを備えており、携帯電話端末２を載置すると、携帯電話端末２のＨＤＭＩ出力端子２１と電源端子２２とが、それぞれ、充電台４のＨＤＭＩ入力端子４１と電源端子４２とに接続される。充電台４のＨＤＭＩ入力端子４１には、ＨＤＭＩケーブル４３が接続されており、そのＨＤＭＩケーブル４３の他端をテレビ１のＨＤＭＩ入力端子１１に接続することによって、テレビ１と携帯電話端末２とがＨＤＭＩ接続される。また、充電台４の電源端子４２には、電源ケーブル４４が接続されており、その電源ケーブル４４の他端に設けられたＡＣアダプターを商用電源に接続することによって、携帯電話端末２に電力を供給することができる。
【００４９】
図４（ｂ）に示す充電台４は、図４（ａ）に示す充電台４と同様、ＨＤＭＩ入力端子４１と電源端子４２とを備えており、携帯電話端末２を載置すると、携帯電話端末２のＨＤＭＩ出力端子２１と電源端子２２とが、それぞれ、充電台４のＨＤＭＩ入力端子４１と電源端子４２とに接続される。一端がＨＤＭＩ入力端子４１に接続されたＨＤＭＩケーブル４３の他端をテレビ１のＨＤＭＩ入力端子１１に接続すれば、テレビ１と携帯電話端末２とをＨＤＭＩ接続することができる。また、一端が電源端子４２に接続された電源ケーブル４４の他端をテレビ１に内蔵されたＡＣアダプター１２に接続すれば、携帯電話端末２に電力を供給することができる。なお、ＨＤＭＩケーブル４３と電源ケーブル４４とを一体化し、１本のケーブルでＨＤＭＩ接続と電力供給とを同時に行えるようにしてもよい。
【００５０】
また、ＨＤＭＩケーブル３を介さずに、図４（ｃ）に示すように、テレビ１と携帯電話端末２とを直接ＨＤＭＩ接続する構成を採用してもよい。図４（ｃ）に示すテレビ１には、スロット１３が設けられており、携帯電話端末２をスロット１３に装填すると、携帯電話端末２のＨＤＭＩ出力端子２１と、スロット１３内に設けられたテレビ１のＨＤＭＩ入力端子４１とが直接接続される。なお、携帯電話端末２を側面からテレビ１に装填する構成に代えて、携帯電話端末２を正面からテレビ１のベゼル部（ＬＣＤの下方のベゼル部）に装填する構成を採用してもよい。
【００５１】
〔携帯電話端末の構成〕
次に、本実施形態に係る携帯電話端末２の構成について、図１を参照して説明する。図１は、携帯電話端末２の構成を示すブロック図である。
【００５２】
図１に示すように、携帯電話端末２は、ＨＤＭＩ出力端子２１、電源端子２２、ＨＤＭＩトランスミッタ２００、マイクロＵＳＢ端子２０１、マイクロＵＳＢ・Ｉ／Ｆ２０２、Ｂｌｕｅｔｏｏｔｈ・Ｉ／Ｆ２０３、ＷＬＡＮ（Wireless LAN）・Ｉ／Ｆ２０４、メモリカード２０５（着脱可能）、ＵＳＩＭ（Universal Subscriber Identity Module）カード２０６（着脱可能）、ＧＰＳ（Global positioning system）２０７、ＲＦ部２１１、音声ＣＯＤＥＣ２１２、メインコントローラ２１３、ＲＴＣ（Real Time Clock）部２１４、キースキャン部２１５、充電回路２１６、電源レギュレータ２１７、電池残量検出部２１８、電池２１９、ＬＣＤコントローラ２２０、ＬＣＤ２２１、タッチパネル２２２、カメラ２２３、ＤＴＶ部２２４、ＦＬＡＳＨメモリ２２５、ＲＡＭ２２６、及び、スピーカ２２７を備えている。図１においては、メインコントローラ２１３と共に主基板上に実装されるブロックを点線で囲んで示している。
【００５３】
携帯電話端末２は、（１）主にＲＦ部２１１と音声ＣＯＤＥＣ部２１２とにより実現される通話機能、（２）主にカメラ２２３により実現される撮像機能、（３）主にＤＴＶ部２２５により実現されるワンセグ放送の受信機能、（４）主に電池２１９と電源レギュレータ２１７とにより実現される給電機能、（５）主に電源端子２２とＨＤＭＩ出力端子２１と充電回路２１６と電池残量検出部２１８と充電池である電池２１９とによって実現される充電機能、（６）主にＢｌｕｅｔｏｏｔｈ・Ｉ／Ｆ２０３又はＷＬＡＮ・Ｉ／Ｆ２０４によって実現される無線通信機能、（７）主にＧＰＳ２０７によって実現される位置管理機能、（８）主にＲＴＣ２１４によって実現される時間管理機能、（９）主にキースキャン部２１５又はタッチパネル２２２によって実現されるユーザ操作検知機能を有している。
【００５４】
上記充電機能において、充電回路２１６は、電源端子２２とＨＤＭＩ出力端子２１とに接続されているので、電源端子２２と、ＨＤＭＩ出力端子２１の１９番ピンであるＨＰＤ（ホットプラグ検出用）ピンと、のいずれからも電力の供給を受けることが可能になっている。なお、他の機能については、従来の携帯電話端末２が備えている通常の機能であるため、ここではその説明を省略する。
【００５５】
携帯電話端末２は、これらの機能の他に、コンテンツを再生するコンテンツ再生機能を有している。携帯電話端末２が再生可能なコンテンツとしては、静止画、動画、音声などが挙げられる。静止画、動画、又は音声の再生は、例えば、メインコントローラ２１３がＦＬＡＳＨメモリ２２５から読み出した静止画データ（ＪＰＥＧデータ等）、動画データ（ＭＰＥＧデータ等）、又は音声データ（ＭＰ３データ等）をデコードすることによって実現される。ＦＬＡＳＨメモリ２２５の代わりに、ＭｉｃｒｏＵＳＢ端子に接続されたＵＳＢデバイス、あるいは、メモリカード２０５から読み出した静止画データ、動画データ、又は音声データをデコードするようにしてもよい。メインコントローラ２１３によってデコードされたコンテンツは、ＨＤＭＩトランスミッタ２００に供給される。ＨＤＭＩトランスミッタ２００は、メインコントローラ２１３から供給されたコンテンツを、ＨＤＭＩケーブル３を介して接続されたテレビ１に送信する。
【００５６】
また、携帯電話端末２は、通信用アプリケーションの実行機能を有している。携帯電話端末２が実行可能な通信用アプリケーションには、ＲＦ２１１部による基地局との通信を利用するものと、Ｂｌｕｅｔｏｏｔｈ・Ｉ／Ｆ２０３又はＷＬＡＮ・Ｉ／Ｆ２０４による近距離無線通信を利用するものとがある（インターネットを利用するアプリケーションは、前者の通信用アプリケーションとしても後者の通信用アプリケーションとしても実装することが可能である）。通信用アプリケーションの具体例としては、電子メールクライアントやウェブブラウザなどの汎用アプリケーションに加え、各種ウェブサービスを利用するための専用アプリケーションなどが挙げられる。
【００５７】
更に、メインコントローラ２１３は、ＨＤＭＩトランスミッタ２００がテレビ１から受信したＣＥＣコマンドを実行したり、ＨＤＭＩトランスミッタ２００がテレビ１に送信するＣＥＣコマンドを生成したりすることによって、テレビ１との連携動作を実現する。たとえば、ＨＤＭＩトランスミッタ２００が<Give Physical Address>コマンドを受信すると、メインコントローラ２１３は、自身の物理アドレスと論理アドレス（Playback Device）とを引数とする引数とする<Report Physical Address>コマンドをＨＤＭＩトランスミッタ２００に送信させる。また、ＨＤＭＩトランスミッタ２００が<Give Device Type>コマンドを受信すると、メインコントローラ２１３は、自身のデバイスタイプ（Mobile Phone）を引数とする<Report Device Type>コマンドをＨＤＭＩトランスミッタ２００に送信させる。さらに、メインコントローラ２１３は、コンテンツを供給中に<Set Stream Path>コマンドをＣＥＣ・Ｉ／Ｆ２５２を介して受信すると、供給中のコンテンツがテレビ１のＬＣＤ１１０に表示されているか否かを示す表示ソース情報を要求する<Request Display Source Info>コマンド（指示コマンド）をＨＤＭＩトランスミッタ２００に送信させる。ＣＥＣコマンドを用いたテレビ１と携帯電話端末２との連携動作については、参照する図面を代えて後で詳しく説明する。
【００５８】
〔テレビの構成〕
次に、本実施形態に係るテレビ１の構成について、図５を参照して説明する。図５は、テレビ１の構成を示すブロック図である。
【００５９】
図５に示すように、テレビ１は、３つのＨＤＭＩ入力端子１１ａ〜１１ｃ、ＨＤＭＩスイッチ１１ｄ、ＨＤＭＩレシーバ１００、映像入力端子１０１ａ、音声入力端子１０１ｂ、ＢＤドライブ１０２、チューナ１０３、ＩＰ放送チューナ１０４、衛星放送チューナ１０５、ＯＳＤ生成部１０６、映像セレクタ１０７、映像処理回路１０８、ＬＣＤコントローラ１０９、ＬＣＤ（Liquid Crystal Display）１１０、音声セレクタ１１１、音声処理回路１１２、デジタルアンプ１１３、スピーカ１１４、イーサネット（登録商標）Ｉ／Ｆ１１５、ＲＯＭ１１６、ＲＡＭ１１７、ＣＰＵ１１８、赤外線受光部１１９、カメラ１２０、人感センサ１２１、及び、照度センサ１２２を備えている。図５においては、映像信号の経路を実線で、音声信号の経路を１点鎖線で、データや制御信号の経路（バス）を太線で示している。
【００６０】
（１）ＨＤＭＩレシーバ１００が受信した映像、（２）映像入力端子１０１ａから入力された映像、（３）ＢＤドライブ１０２がＢＤ（Blu-ray Disc）から読み出した映像、（４）（地上波デジタル放送用）チューナ１０３が受信した映像、（５）ＩＰ放送チューナ１０４が受信した映像、及び、（６）衛星放送チューナ１０５が受信した映像は、それぞれ、映像セレクタ１０７に供給される。また、（１）ＨＤＭＩレシーバ１００が受信した音声、（２）音声入力端子１０１ｂから入力された音声、（３）ＢＤドライブ１０２がＢＤから読み出した音声、（４）チューナ１０３が受信した音声、（５）ＩＰ放送チューナ１０４が受信した音声、及び、（６）衛星放送チューナ１０５が受信した音声は、それぞれ、音声セレクタ１１１に供給される。
【００６１】
なお、（ａ）ＨＤＭＩレシーバ１０１が何れのＨＤＭＩ入力端子から入力されるコンテンツを受信するか、すなわち、ＨＤＭＩスイッチ１１ｄが何れのＨＤＭＩ入力端子から入力されたコンテンツをＨＤＭＩレシーバ１００に供給するか、（ｂ）チューナ１０３が何れのチャンネルを介して伝送されたコンテンツを受信するか、（ｃ）ＩＰ放送チューナ１０４が何れのサーバから配信されたコンテンツを受信するか、（ｄ）衛星放送チューナ１０５が何れのチャンネルを介して伝送されたコンテンツを受信するかを決める選択制御は、ＣＰＵ１１８によって行われる。また、（ｅ）ＢＤドライブ１０２における再生、停止、早送り、巻戻し、チャプタ遷移などの再生制御も、ＣＰＵ１１８によって行われる。
【００６２】
映像セレクタ１０７は、（１）ＨＤＭＩレシーバ１００から供給された映像、（２）映像入力端子１０１ａから供給された映像、（３）ＢＤドライブ１０２から供給された映像、（４）チューナ１０３から供給された映像、（５）ＩＰ放送チューナ１０４から供給された映像、及び、（６）衛星放送チューナ１０５から供給された映像のうちの何れか１つを選択する。映像セレクタ１０７によって選択された映像は、映像処理回路１０８に供給される。なお、映像セレクタ１０７が何れの映像を選択するかは、ＣＰＵ１１８によって制御される。
【００６３】
映像処理回路１０８は、映像セレクタ１０７から供給された映像の画質を調整する。また、映像処理回路１０８は、映像セレクタ１０７から供給された映像をスケーリングする。ここで、画質の調整とは、例えば、輝度、シャープネス、及び、コントラストの少なくとも何れかを変化させることを指す。また、スケーリングとは、表示すべき映像本来のアスペクト比を保ったままサイズを縮小することを指す。映像処理回路１０８によって画質調整とスケーリングとを施された映像は、ＬＣＤコントローラ１０９に供給される。なお、映像処理回路１０８が画質をどのように変化させるか、及び、映像をどの程度縮小するかは、ＣＰＵ１１８によって制御される。
【００６４】
ＬＣＤコントローラ１０９は、映像処理回路１０８から供給された映像が表示されるようにＬＣＤ１１０を駆動する。これにより、映像セレクタ１０７により選択された映像がＬＣＤ１１０から出力される。なお、ＯＳＤ生成部１０６からＯＳＤ画像が供給されている場合、ＬＣＤコントローラ１０９は、ＯＳＤ生成部１０６から供給されたＯＳＤ画像を映像処理回路１０８から供給された映像に重ねて表示する。
【００６５】
音声セレクタ１１１は、ＨＤＭＩレシーバ１００から供給された音声、映像入力端子１０１ａから供給された音声、ＢＤドライブ１０２から供給された音声、チューナ１０３から供給された音声、ＩＰ放送チューナ１０４から供給された音声、及び、衛星放送チューナ１０５から供給された音声のうちの何れか１つを選択する。音声セレクタ１１１によって選択された音声は、音声処理回路１１２に供給される。なお、音声セレクタ１１１が何れの音声を選択するかは、ＣＰＵ１１８によって制御される。ただし、映像セレクタ１０７における映像の選択と、音声セレクタ１１１における音声の選択と、は連動しており、例えば、映像セレクタ１０７がＨＤＭＩレシーバ１００から供給された映像を選択しているときには、音声セレクタ１１１もＨＤＭＩレシーバ１００から供給された音声を選択する。
【００６６】
音声処理回路１１２は、音声セレクタ１１１から供給された音声の音量及び音質を調整する。ここで、音質の調整とは、音声セレクタ１１１から供給された音声の周波数特性を変化させること（例えば、低域の強調や高域の強調など）を指す。音声処理回路１１２によって音量及び音質を調整された音声は、デジタルアンプ１１３に供給される。なお、音声処理回路１１２によって音量及び音質をどのように変化させるかは、ＣＰＵ１１８によって制御される。
【００６７】
デジタルアンプ１１３は、音声処理回路１１２から供給された音声が出力されるようにスピーカ１１４を駆動する。これにより、音声セレクタ１１１により選択された音声がスピーカ１１４から出力される。
【００６８】
ＣＰＵ１１８は、赤外線受光部１１９が受信したリモコン信号、カメラ１２０が撮像した画像、人感センサ１２１が出力するセンサ信号、及び、照度センサ１２２が出力するセンサ信号に応じて上記各部を制御する。人感センサ１２１のセンサ信号は、その感知範囲内に視聴者が存在するか否かを示す２値信号である。また、照度センサ１２２のセンサ信号は、照度センサ１２２の周囲の照度（明るさ）を示す多値信号である。赤外線受光部１１９を用いた制御としては、例えば、チューナ１０４にて選択するチャンネルをリモコン信号に応じて切り替える制御や、映像セレクタ１０７及び音声セレクタ１１１にて選択する映像及び音声をリモコン信号に応じて切り替える制御などが挙げられる。また、カメラ１２０を用いた制御としては、例えば、映像処理回路１０８において画質をどのように調整するかを、撮像した画像に基づいて特定した視聴者に応じて切り替える制御などが挙げられる。また、人感センサ１２１を用いた制御としては、例えば、ＬＣＤ１１０のバックライトを点灯するか消灯するかを、感知結果に応じて切り替える制御などが挙げられる。
【００６９】
また、ＣＰＵ１１８は、ＨＤＭＩレシーバ１００が携帯電話端末２から受信したＣＥＣコマンドを実行したり、ＨＤＭＩレシーバ１００が携帯電話端末２に送信するＣＥＣコマンドを生成したりすることによって、携帯電話端末２との連携動作を実現する。ＣＥＣコマンドを用いたテレビ１と携帯電話端末２との連携動作については、参照する図面を代えて後で詳しく説明する。
【００７０】
ＲＯＭ１１６は、ＣＰＵ１１８によって実行されるプログラムなどの固定データが格納される、読み出し可能かつ書き込み不能なメモリである。ＯＳＤ画像を生成するためにＯＳＤ生成部１０６が参照するＪＰＥＧデータやＳＶＧ（Scalable Vector Graphics）データなども、このＲＯＭ１１６に格納される。一方、ＲＡＭ１１７は、ＣＰＵ１１８が演算のために参照するデータ、及び、ＣＰＵ１１８が演算によって生成したデータなどの可変データが格納される、読み出し可能かつ書き込み可能なメモリである。
【００７１】
イーサネットＩ／Ｆ１１５は、テレビ１をネットワークに接続するためのインターフェースである。上述したＩＰ放送チューナ１０５は、このイーサネットＩ／Ｆ１１５を介してインターネット上のサーバにアクセスする。
【００７２】
〔携帯電話端末のメインコントローラの詳細〕
次に、図２を参照して、テレビ１が備えているＨＤＭＩレシーバ１００と、携帯電話端末２が備えているＨＤＭＩトランスミッタ２００と共に、携帯電話端末２が備えているメインコントローラ２１３についてもう少し詳しく説明する。図２は、携帯電話端末２のメインコントローラ２１３およびＨＤＭＩトランスミッタ２００の構成、並びに、テレビ１が備えているＨＤＭＩレシーバ１００の構成を示すブロック図である。
【００７３】
ＨＤＭＩケーブル３は、コンテンツ（映像信号および音声信号）を伝送するＴＭＤＳ（Transition Minimized Differential Signaling）ラインと、ＣＥＣ（Consumer Electronics Control）コマンドを伝送するＣＥＣラインと、ＥＤＩＤ（Extended Display Identification Data）を伝送するＤＤＣ（Display Data Cannel）ラインと、ＨＰＤ（Hot Plug Detect）信号を伝送するＨＰＤラインと、接続検知のためにソース機器によって電圧（対グランド電位）が５Ｖに制御される５Ｖ電力ラインとを備えている。
【００７４】
ＨＤＭＩレシーバ１００は、ＴＭＤＳレシーバ１５１、ＣＥＣ・Ｉ／Ｆ１５２、ＤＤＣ・Ｉ／Ｆ１５３、ＨＰＤ制御部１５４、５Ｖ電力検知部１５５、及び、ＥＤＩＤ格納部１５６を備えている。ＨＤＭＩレシーバ１００の各部は、ＣＰＵ１１８によって制御される。
【００７５】
ＴＭＤＳレシーバ１５１は、ＨＤＭＩケーブル３のＴＭＤＳラインを介して伝送されたコンテンツを受信するためのインターフェースである。ＴＭＤＳレシーバ１５１が受信したコンテンツは、映像セレクタ１０７及び音声セレクタ１１１に供給される。
【００７６】
ＣＥＣ・Ｉ／Ｆ１５２は、ＨＤＭＩケーブル３のＣＥＣラインを介して伝送されたＣＥＣコマンドを受信するためのインターフェースである。ＣＥＣ・Ｉ／Ｆ１５２が受信したＣＥＣコマンドは、ＣＰＵ１１８に供給される。また、ＣＥＣ・Ｉ／Ｆ１５２は、ＨＤＭＩケーブル３のＣＥＣラインを介してＣＥＣコマンドを送信するためのインターフェースでもある。ＣＥＣ・Ｉ／Ｆ１５２が送信するＣＥＣコマンドは、ＣＰＵ１１８から供給される。
【００７７】
ＤＤＣ・Ｉ／Ｆ１５３は、ＨＤＭＩケーブル３のＤＤＣラインを介してＥＤＩＤを送信するためのインターフェースである。ＤＤＣ・Ｉ／Ｆ１５３が送信するＥＤＩＤは、ＥＤＩＤ格納部１５６から読み出される。
【００７８】
５Ｖ電力検知部１５５は、ＨＤＭＩケーブル３の５Ｖ電力ラインが接続される５Ｖ電力ピンの電圧をモニタし、その立ち上がりタイミングを検知する。５Ｖ電力ピンの電圧が５Ｖに立ち上がったことを検知すると、５Ｖ電力検知部１５５は、ＨＤＭＩトランスミッタ２００との接続が確立されたことをＣＰＵ１１８及びＨＰＤ制御部１５４に通知する。ＨＰＤ制御部１５４は、５Ｖ電力検知部１５５からこの通知を受けると、ＨＤＭＩケーブル３のＨＰＤラインが接続されるＨＰＤピンの電圧をＨレベルに立ち上げる。ＨＤＭＩトランスミッタ２００は、ＨＤＭＩケーブル３のＨＰＤラインに接続されるＨＰＤピンの電圧がＨレベルに立ち上がると、ＨＤＭＩレシーバ１００のＥＤＩＤ格納部１５６に格納されたＥＤＩＤを、ＤＤＣラインを介して読み出す。
【００７９】
（ＨＤＭＩトランスミッタ２００の詳細）
ＨＤＭＩトランスミッタ２００は、ＴＭＤＳトランスミッタ２５１、ＣＥＣ・Ｉ／Ｆ２５２、ＤＤＣ・Ｉ／Ｆ２５３、ＨＰＤ検知部２５４、及び、５Ｖ電力制御部２５５を備えている。ＨＤＭＩトランスミッタ２００の各部はメインコントローラ２１３によって制御される。
【００８０】
ＴＭＤＳトランスミッタ２５１は、ＨＤＭＩケーブル３のＴＭＤＳラインを介してコンテンツを送信するためのインターフェースである。ＴＭＤＳトランスミッタ２５１が送信するコンテンツは、メインコントローラ２１３によってデコードされたコンテンツである。
【００８１】
ＣＥＣ・Ｉ／Ｆ２５２は、ＨＤＭＩケーブル３のＣＥＣラインを介して伝送されたＣＥＣコマンドを受信するためのインターフェースである。ＣＥＣ・Ｉ／Ｆ２５２が受信したＣＥＣコマンドは、メインコントローラ２１３に供給される。また、ＣＥＣ・Ｉ／Ｆ２５２は、ＨＤＭＩケーブル３のＣＥＣラインを介してＣＥＣコマンドを送信するためのインターフェースでもある。ＣＥＣ・Ｉ／Ｆ２５２が送信するＣＥＣコマンドは、メインコントローラ２１３から供給される。
【００８２】
ＤＤＣ・Ｉ／Ｆ２５３は、ＨＤＭＩケーブル３のＤＤＣラインを介して伝送されたＥＤＩＤを受信するためのインターフェースである。ＤＤＣ・Ｉ／Ｆ２５３が受信したＥＤＩＤは、メインコントローラ２１３を介してＲＡＭ２２６に記憶される。
【００８３】
ＨＤＭＩレシーバ１００がＨＤＭＩトランスミッタ２００に接続されたことを検知できるよう、５Ｖ電力制御部２５５は、ＨＤＭＩケーブル３の５Ｖ電力ラインに接続される５Ｖ電力ピンの電圧を５Ｖに制御する。ＨＰＤ検知部２５４は、ＨＤＭＩケーブル３のＨＰＤラインが接続されるＨＰＤピンの電圧をモニタし、その立ち上がりタイミングを検知する。ＨＰＤピンの電圧がＨレベルに立ち上がったことを検知すると、ＨＰＤ検知部２５４は、シンク機器との接続が確立されたことをメインコントローラ２１３及びＤＤＣ・Ｉ／Ｆ２５３に通知する。ＤＤＣ・Ｉ／Ｆ２５３は、ＨＰＤ検知部２５４からこの通知を受けると、ＨＤＭＩレシーバ１００のＤＤＣ・Ｉ／Ｆを介して、ＥＤＩＤ格納部１５６に格納されているＥＤＩＤを読み出す。
【００８４】
なお、ＨＤＭＩケーブルによって接続された機器間で送受信されるＣＥＣコマンドには、送信元および／または送信先の論理アドレスおよび／または物理アドレスが引数として含まれる。ＨＤＭＩケーブルによって接続された各機器は、ＣＥＣコマンドに含まれる論理アドレスおよび／または物理アドレスによって、そのＣＥＣコマンドの送信元および／または送信先を特定する。
【００８５】
ここで、論理アドレスは、機器種別（テレビ、レコーダ、プレーヤ、チューナ、オーディオの何れか）を示す０から１４までの整数によって表現される。例えば、テレビには論理アドレス「０」が割り振られ、１台目のレコーダには論理アドレス「１」が割り振られる、２台目のレコーダには論理アドレス「２」が割り振られる。なお、論理アドレスと機器種別との対応関係は、下表のように定められている。本明細書においては、下表における「TV」、「Recording Device１〜３」、「Playback Device１〜３」、「Tuner１〜４」、及び「Audio System」のことを、それぞれ、「テレビ」、「レコーダ」、「プレーヤ」、「チューナ」、及び「オーディオ」とも記載する。
【００８６】
【表１】
0004834187.tif 000002
【００８７】
一方、物理アドレスは、ソース機器からのパスを示す４桁の自然数によって表現される。例えば、シンク機器（テレビ）のｘ番目のＨＤＭＩ入力端子に接続されたソース機器Ｘには物理アドレス（ｘ，０，０，０）が割り振られ、ソース機器Ｘのｙ番目のＨＤＭＩ入力端子に接続されたソース機器Ｙには物理アドレス（ｘ，ｙ，０，０）が割り振られる。図４に示した構成においては、ＨＤＭＩ入力端子１１ａに接続されたソース機器に物理アドレス（１，０，０，０）が割り振られ、ＨＤＭＩ入力端子１１ｂに接続されたソース機器に物理アドレス（２，０，０，０）が割り振られる。なお、シンク機器であるテレビには物理アドレス（０，０，０，０）が割り振られる。
【００８８】
（メインコントローラ２１３の詳細）
メインコントローラ２１３は、出力制御部２１３１、外部出力データ生成部２１３２、および内部出力データ生成部２１３３を備えている。
【００８９】
外部出力データ生成部２１３２は、外部出力、すなわち、テレビ１のＬＣＤ１００の解像度に応じたコンテンツの映像信号、およびコンテンツの音声信号を生成して、ＴＭＤＳトランスミッタ２５１に出力する。この解像度の値としては、テレビ１にＥＤＩＤとして記録されている解像度の値を用いてもよいし、携帯電話端末２自身で外部出力用の解像度の値をＲＡＭ２２６に保持しておき、ＲＡＭ２２６が保持する解像度の値を用いてもよい。
【００９０】
内部出力データ生成部２１３３は、内部出力、すなわち、携帯電話端末２のＬＣＤ２２１の解像度に応じたコンテンツの映像信号、およびコンテンツの音声信号を生成する。そして、内部出力データ生成部２１３３は、生成したコンテンツの音声信号をスピーカ２２７に出力し、コンテンツの映像信号をＬＣＤコントローラ２２０に出力する。
【００９１】
出力制御部２１３１は、外部出力データ生成部２１３２により生成されたコンテンツがテレビ１に供給されている間に<Set Stream Path>コマンドをＣＥＣ・Ｉ／Ｆ２５２を介して受信すると、供給中のコンテンツがテレビ１のＬＣＤ１１０に表示されているか否かを示す表示ソース情報を要求する<Request Display Source Info>コマンドを、ＣＥＣ・Ｉ／Ｆ２５２を介して送信する。そして、出力制御部２１３１は、ＣＥＣ・Ｉ／Ｆ２５２を介して<Report Display Source Info>コマンドとして表示ソース情報を受信すると、供給中のコンテンツがテレビ１のＬＣＤ１１０に表示されていること、およびＬＣＤ１１０に表示されていないことのいずれを表示ソース情報が示しているかを判定する。なお、<Request Display Source Info>コマンド、および<Report Display Source Info>コマンドは、本願において開示する新規なベンダコマンドである。
【００９２】
また、出力制御部２１３１は、表示ソース情報を判定した結果に応じて、外部出力データ生成部２１３２に継続してコンテンツを生成させるとともにＴＭＤＳトランスミッタ２５１から出力させるか、あるいは、外部出力データ生成部２１３２によるコンテンツの生成を停止させるとともにＴＭＤＳトランスミッタ２５１の処理を停止させるかを決定する。
【００９３】
（テレビのＣＰＵが有する機能）
次に、携帯電話端末２との有機的な連携動作を実現するために、テレビ１のＣＰＵ１１８が有する機能について、図６を参照して説明する。図６は、テレビ１のＣＰＵ１１８が有する機能を表現した機能ブロック図である。なお、図６に示すブロック図は、ＣＰＵ１１８が有する各種機能の一部を表現したものであり、ＣＰＵ１１８が、図６に示されていない機能を有していてもよいことは言うまでもない。
【００９４】
図６に示すように、テレビ１のＣＰＵ１１８は、アドレス取得部３０１、デバイスタイプ取得部３０２、管理テーブル更新部３０３、入力ソース選択部３０４、及び、表示ソース情報供給部３０５として機能する。アドレス取得部３０１、デバイスタイプ取得部３０２、管理テーブル更新部３０３、及び、表示ソース情報供給部３０５は、ＲＡＭ１１７に記憶された図７（ａ）〜図７（ｃ）に示すような管理テーブルを参照しながら動作する。この管理テーブルには、テレビ１にＨＤＭＩ接続されている各ソース機器について、物理アドレスと論理アドレス（第１の機器種別情報）とデバイスタイプ（第２の機器種別情報）と、該ソース機器から供給されている映像がＬＣＤ１１０に表示されているか否かを示す情報と、が互いに関連付けて格納されるようになっている。
【００９５】
ここで、デバイスタイプとは、論理アドレスとは異なる分類においてソース機器が分類される機器種別を示す情報のことを指す。本実施形態においては、デバイスタイプとして、ソース機器が携帯機器に分類されるか非携帯機器に分類されるかを示す情報を用いる。管理テーブルにおいて、デバイスタイプが「Mobile Phone」に設定されているソース機器が携帯機器であり、そうでないソース機器が非携帯機器（据置機器）である。
【００９６】
アドレス取得部３０１は、テレビ１にＨＤＭＩ接続されたソース機器からその物理アドレス及び論理アドレスを取得するための手段である。５Ｖ電力検知部１５５から、新たなソース機器がテレビ１にＨＤＭＩ接続された旨の通知を受けると、アドレス取得部３０１は、新たにＨＤＭＩ接続されたソース機器からその物理アドレス及び論理アドレスを取得する。物理アドレス及び論理アドレスを取得するためのコマンドとして、本実施形態においては、ＣＥＣの標準コマンドである<Give Physical Address>コマンドを使用する。物理アドレス及び論理アドレスの取得が完了すると、アドレス取得部３０１は、取得した物理アドレス及び論理アドレスを管理テーブル更新部３０３に通知すると共に、アドレス取得処理が完了した旨をデバイスタイプ取得部３０２に通知する。
【００９７】
デバイスタイプ取得部３０２は、テレビ１にＨＤＭＩ接続されたソース機器からそのデバイスタイプを取得するための手段である。アドレス取得部３０１から、アドレス取得処理が完了した旨の通知を受けると、デバイスタイプ取得部３０２は、テレビ１にＨＤＭＩ接続されたソース機器からそのデバイスタイプを取得する。デバイスタイプを取得するためのコマンドとして、本実施形態においては、本願において開示する新規なベンダコマンドである<Give Device Type>コマンドを使用する。デバイスタイプの取得に成功すると、デバイスタイプ取得部３０２は、取得したデバイスタイプを管理テーブル更新部３０３に通知する。デバイスタイプを取得することなくタイムアウトした場合、デバイスタイプ取得部３０２は、デバイスタイプが「プレーヤ」である旨を管理テーブル更新部３０３に通知する。
【００９８】
管理テーブル更新部３０３は、アドレス取得部３０１から通知された物理アドレス及び論理アドレス、並びに、デバイスタイプ取得部３０２から通知されたデバイスタイプを、互いに関連付けて管理テーブルに登録する。また、管理テーブル更新部３０３は、後述する入力ソース選択部３０４からの指示に基づき、テレビ１にＨＤＭＩ接続されたソース機器からの映像がＬＣＤ１１に表示されているか否かを示す情報（オンディスプレイ情報）を、すでに記録されている物理アドレス及び論理アドレス、並びにデバイスタイプと関連付けて管理テーブルに記録する。
【００９９】
なお、アドレス取得部３０１から新たに通知された物理アドレスが既に登録されている物理アドレスに一致する場合、アドレス取得部３０１から新たに通知された物理アドレス及び論理アドレス、並びに、デバイスタイプ取得部３０２から新たに通知されたデバイスタイプによって、既に登録されている物理アドレス、論理アドレス、及びデバイスタイプをオーバーライトする。
【０１００】
入力ソース選択部３０４は、テレビ１にＨＤＭＩ接続されているソース機器からの要求、又は、テレビ１を操作しているユーザからの要求に応じて、テレビ１にＨＤＭＩ接続されているソース機器の何れかを入力ソースとして選択するための手段である。また、入力ソース選択部３０４は、テレビ１を操作しているユーザからの要求に応じて、テレビ１自身が備えているＢＤドライブ１０２および各種チューナ１０３〜１０５を入力ソースとして映像セレクタ１０７に選択させるための手段でもある。ソース機器からの要求は、ＣＥＣコマンドとしてＣＥＣ・Ｉ／Ｆ１５２から与えられ、ユーザからの要求は、リモコン信号として赤外線受光部１１９から与えられる。入力ソースの切り替えを要求するＣＥＣコマンドとして、本実施形態においては、<Active Source>コマンドを想定する。
【０１０１】
また、入力ソース選択部３０４は、入力ソースとして選択したソース機器の物理アドレス及び論理アドレス、並びにデバイスタイプと関連付けて、ソース機器からの映像がＬＣＤ１１に表示されている旨を示す値「○」をオンディスプレイ情報として管理テーブルに記録するよう管理テーブル更新部３０３に指示する。さらに、入力ソース選択部３０４は、入力ソースとして選択されていたソース機器の物理アドレス及び論理アドレス、並びにデバイスタイプと関連付けられているオンディスプレイ情報を、ソース機器からの映像がＬＣＤ１１に表示されていない旨を示す値「×」に更新するよう管理テーブル更新部３０３に指示する。
【０１０２】
例えば、管理テーブルが図７（ａ）に示すような内容になっているときに携帯電話端末２がテレビ１にＨＤＭＩ接続された場合、入力ソース選択部３０４は、携帯電話端末２の物理アドレス「2.0.0.0」および論理アドレス「Player」、並びに、デバイスタイプ「MobilePhone」に関連づけて、オンディスプレイ情報として「○」を管理テーブルに記録するよう管理テーブル更新部３０３に指示する。さらに、管理テーブル更新部３０３は、ＢＤプレーヤ３―の物理アドレス「1.0.0.0」および論理アドレス「Player」、並びに、デバイスタイプ「Player」と関連づけられているオンディスプレイ情報を「○」から「×」に更新するよう管理テーブル更新部３０３に指示する。この結果、管理テーブルは図７（ｂ）に示す内容になる。
【０１０３】
また、例えば、管理テーブルが図７（ｂ）に示すような内容になっているときにユーザからの要求によりＢＤプレイヤ３０が入力ソースとして選択された場合、入力ソース選択部３０４は、携帯電話端末２の物理アドレス「2.0.0.0」および論理アドレス「Player」、並びに、デバイスタイプ「MobilePhone」に関連づけられているオンディスプレイ情報を「×」に更新するよう管理テーブル更新部３０３に指示する。さらに、管理テーブル更新部３０３は、ＢＤプレーヤ３０の物理アドレス「1.0.0.0」および論理アドレス「Player」、並びに、デバイスタイプ「Player」と関連づけられているオンディスプレイ情報を「○」に更新するよう管理テーブル更新部３０３に指示する。この結果、管理テーブルは図７（ｃ）に示す内容になる。
【０１０４】
入力ソース選択部３０４は、テレビ１にＨＤＭＩ接続されているソース機器の何れかから<Active Source>コマンドを受信すると、その<Active Source>コマンドに含まれる物理アドレスにより指定されるソース機器に入力ソースを切り替えると共に、その物理アドレスを引数とする<Set Stream Path>コマンドをテレビ１に接続されている各ソース機器に送信する。ここで、物理アドレス（ｘ，ｙ，ｚ，ｗ）により指定されるソース機器に入力ソースを切り替えるとは、ｘ番目のＨＤＭＩ入力端子がＨＤＭＩレシーバ１００に接続されるよう、ＨＤＭＩスイッチ１１ｄを制御することを指す。なお、<Set Stream Path>コマンドを送信しているのは、テレビ１と<Active Source>コマンドを送信したソース機器との間にパスが通るよう、これらの間に介在する機器に入力ソースの切り替えを指示するためである。
【０１０５】
また、赤外線受光部１１９を介して、テレビ１を操作しているユーザから入力ソースとなるソース機器を選択する要求を受信した場合も、同様に、入力ソース選択部３０４は、選択されたソース機器の物理アドレスを引数とする<Set Stream Path>コマンドを、テレビ１に接続されている各ソース機器に送信する。なお、赤外線受光部１１９を介して、入力ソースとしてテレビ１自身が備えるＢＤドライブや各種チューナ１０３〜１０５を選択する要求をユーザから受信した場合、入力ソース選択部３０４は、テレビ１自身の物理アドレス「0.0.0.0」を引数とする<Set Stream Path>コマンドを、テレビ１に接続されている各ソース機器に送信する。
【０１０６】
表示ソース情報供給部３０５は、<Request Display Source Info>が入力されると、管理テーブルを参照して、オンディスプレイ情報が「○」になっているレコードの物理アドレス（識別情報）をすべて抽出する。例えば、管理テーブルが図７（ｂ）に示す内容になっている場合、物理アドレス「2.0.0.0」を抽出する。なお、後述するように、<Request Display Source Info>の引数には、<Request Display Source Info>を送信した送信元の物理アドレスが含まれている。また、表示ソース情報供給部３０５は、<Request Display Source Info>の引数を参照し、<Request Display Source Info>の送信元に向けて、<Report Display Source Info>を送信する。なお、表示ソース情報供給部３０５は、送信すべき<Report Display Source Info>コマンドの引数に、先に抽出した全物理アドレスが格納するようになっている。
【０１０７】
（管理テーブル更新処理の詳細）
ソース機器とのＨＤＭＩ接続が確立されたときに、テレビ１（アドレス取得部３０１、デバイスタイプ取得部３０２、管理テーブル更新部３０３）にて実行される管理テーブル更新処理について、図８を参照して説明する。図８は、テレビ１にて実行される管理テーブル更新処理の流れを示すフローチャートである。図８に示すフローチャートに含まれる各ステップについて順に説明すれば以下のとおりである。
【０１０８】
ステップＳ１：アドレス取得部３０１は、５Ｖ電力検知部１５５からソース機器との接続が確立された旨の通知を受けると、そのソース機器に対して<Give Physical Address>コマンドを送信する。
【０１０９】
ステップＳ２：アドレス取得部３０１は、<Give Physical Address>コマンドに対するソース機器からの応答を待ち受ける。<Report Physical Address>コマンドを受信すると、アドレス取得部３０１は、<Report Physical Address>コマンドに引数として含まれている物理アドレス及び論理アドレス（機器種別情報）を管理テーブル更新部３０３に通知すると共に、アドレス取得処理が完了した旨をデバイスタイプ取得部３０２に通知する。
【０１１０】
ステップＳ３：デバイスタイプ取得部３０２は、アドレス取得処理が完了した旨の通知を受けると、そのソース機器に対して<Give Device Type>コマンドを送信する。
【０１１１】
ステップＳ４〜Ｓ５：デバイスタイプ取得部３０２は、<Give Device Type>コマンドに対するソース機器からの応答を、タイムアウトする（ステップＳ５においてＹｅｓ）まで待ち受ける。ここで、タイムアウトするとは、<Give Device Type>コマンドを送信してから予め定められた時間（例えば１秒）が経過したことを指す。タイムアウトする前に<Report Device Type>コマンドを受信すると、デバイスタイプ取得部３０２は、デバイスタイプが「Mobile Phone」である旨を管理テーブル更新部３０３に通知する。なお、本実施形態における、デバイスタイプは、<Report Device Type>の発行元が携帯電話端末であるか否かを示す情報であり、<Report Device Type>の発行元が携帯電話端末である場合は値「Mobile Phone」を取る。
【０１１２】
ステップＳ６：<Report Device Type>コマンドを受信する前にタイムアウトした場合、デバイスタイプ取得部３０２は、ステップＳ２にて取得した論理アドレスに対応する機器種別を管理テーブル更新部３０３に通知する。
【０１１３】
ステップＳ７：管理テーブル更新部３０３は、ステップＳ２にてアドレス取得部３０１から通知された物理アドレス及び論理アドレス、並びに、ステップＳ４又はステップＳ６にてデバイスタイプ取得部３０２から通知されたデバイスタイプを、互いに関連付けて管理テーブルに記録する。
【０１１４】
（携帯電話端末２の動作）
次に、<Active Source>コマンドに対する応答としてではなく<Set Stream Path>コマンドをテレビ１から受信した場合における携帯電話端末２の動作について図９を参照しながら以下に説明する。
【０１１５】
図９は、この場合の携帯電話端末２の動作を示すフローチャートである。
【０１１６】
ステップＳ１１：最初に、メインコントローラ２１３の出力制御部２１３１は、ＨＤＭＩトランスミッタ２００のＣＥＣ・Ｉ／Ｆ２５２を介して<Set Stream Path>コマンドを受信する。
【０１１７】
ステップＳ１２：出力制御部２１３１は、外部出力データ生成部２１３２およびＴＭＤＳトランスミッタ２５１が処理を行っているか否かを判定する。処理を行っている（すなわち、コンテンツの映像および音声をＴＭＤＳトランスミッタ２５１からテレビ１に送信している）と判定した場合（ステップＳ１２においてＹＥＳ）、ステップＳ１５に進む。一方、処理を行っていないと判定した場合（ステップＳ１２においてＮＯ）、ステップＳ１３に進む。
【０１１８】
ステップＳ１３：出力制御部２１３１は、<Set Stream Path>コマンドの引数を参照し、引数に含まれる物理アドレスが携帯電話端末２の物理アドレスと一致する否かを判定する。携帯電話端末２の物理アドレスと一致すると判定した場合（ステップＳ１３においてＮＯ）、処理を終了する。一方、携帯電話端末２の物理アドレスと一致しないと判定した場合（ステップＳ１３においてＹＥＳ）、ステップＳ１４に進む。
【０１１９】
ステップＳ１４：出力制御部２１３１は、外部出力データ生成部２１３２およびＴＭＤＳトランスミッタ２５１に処理を行うよう指示する。すなわち、出力制御部２１３１は、外部出力データ生成部２１３２にコンテンツの映像を外部出力用の解像度で生成させ、ＴＭＤＳトランスミッタ２５１に電力が供給されるよう制御して外部出力データ生成部２１３２が生成したコンテンツの映像を送信させる。ステップＳ１４の後、処理を終了する。
【０１２０】
ステップＳ１５：出力制御部２１３１は、テレビ１に表示ソース情報を送信するよう要求する。すなわち、出力制御部２１３１は、引数に携帯電話端末２の物理アドレスを格納した<Request Display Source Info>コマンドをＣＥＣ・Ｉ／Ｆ２５２を介してテレビ１に送信する。
【０１２１】
ステップＳ１６：出力制御部２１３１は、ＣＥＣ・Ｉ／Ｆ２５２を介してテレビ１から<Report Display Source Info>コマンドを受信する。
【０１２２】
ステップＳ１７：出力制御部２１３１は、ステップＳ１６で受信した<Report Display Source Info>コマンドの引数の中に携帯電話端末２の物理アドレスが含まれているか否か、すなわち、携帯電話端末２からテレビ１に供給された映像がテレビ１のＬＣＤ１１０に表示されているか否かを判定する。携帯電話端末２の物理アドレスが含まれていると判定した場合、（ステップＳ１７においてＹＥＳ）、処理を終了する。一方、携帯電話端末２の物理アドレスが含まれていないと判定した場合（ステップＳ１７においてＮＯ）、ステップＳ１８に進む。
【０１２３】
ステップＳ１８：出力制御部２１３１は、外部出力データ生成部２１３２およびＴＭＤＳトランスミッタ２５１に処理を停止するよう指示する。すなわち、出力制御部２１３１は、外部出力データ生成部２１３２がコンテンツの映像を生成するのを停止させる。そして、出力制御部２１３１は、電池２１９からＴＭＤＳトランスミッタ２５１にＴＭＤＳトランスミッタ２５１が動作するのに必要な動作電力が供給されないよう制御する。ステップＳ１８の後、処理を終了する。
【０１２４】
（システム１０全体の動作例）
次に、テレビ１、携帯電話端末２、およびＢＤプレーヤ３０からなる図３（ｂ）に示すシステム１０全体の動作例について図１１のシーケンス図を参照しながら説明する。図中において［ケータイ］［プレーヤ］は、それぞれ、コマンドの引数に含まれる携帯電話端末２、ＢＤプレーヤ３０の物理アドレスを示している。
【０１２５】
なお、ここでのシステム１０全体の動作例とは、テレビ１の入力ソースが携帯電話端末２になっている状態でユーザにより順に以下の（１）（２）の各操作が行われる場合における、各操作に応じた動作であることを述べておく。
（１）テレビ１の入力ソースを携帯電話端末２からＢＤプレーヤ３０に切り替えることにより、図１０上段の図のようにＢＤプレーヤ３０からの映像を表示する操作。
（２）テレビ１の入力ソースをＢＤプレーヤ３０から携帯電話端末２に切り替えることにより、図１０下段の図のように携帯電話端末２からの映像を表示する操作。
【０１２６】
最初にユーザによる（１）の操作を受け付けたテレビ１の入力ソース選択部３０４は、ＨＤＭＩスイッチ１１ｄをＢＤプレーヤ３０とＨＤＭＩ接続されているＨＤＭＩ端子１１ｂに切り替えるとともに、ＲＡＭ１１７の管理テーブルを図７（ｂ）の内容から図７（ｃ）の内容に変更するよう管理テーブル更新部３０３に指示する。そして、入力ソース選択部３０４は、ＢＤプレーヤ３０の物理アドレス「1.0.0.0」が引数として格納されている<Set Stream Path>コマンドを携帯電話端末２およびＢＤプレーヤ３０に送信する。
【０１２７】
自身の物理アドレス「1.0.0.0」が引数として格納されている<Set Stream Path>コマンドを受け付けたＢＤプレーヤ３０は、ＢＤプレーヤ３０が再生しているＢＤの映像および音声をテレビ１に出力するとともに、<Text View On>コマンドおよび<Active Source>コマンドをテレビ１に出力する。
【０１２８】
一方、自身の物理アドレス「2.0.0.0」が引数として格納されていない<Set Stream Path>コマンドをＣＥＣ・Ｉ／Ｆ２５２を介して受け付けた携帯電話端末２の出力制御部２１３１は、引数に自身の物理アドレス「2.0.0.0」を格納した<Request Display Source Info>コマンドをＣＥＣ・Ｉ／Ｆ２５２を介してテレビ１に出力する。
【０１２９】
ＣＥＣ・Ｉ／Ｆ１５２を介して<Request Display Source Info>コマンドを受け付けたテレビ１の表示ソース情報供給部３０５は、ＲＡＭ１１７に記録されている図７（ｃ）の内容の管理テーブルを参照する。そして、表示ソース情報供給部３０５は、映像を表示中であるＢＤプレーヤ３０の物理アドレス「1.0.0.0」を引数とする<Report Display Source Info>コマンドを、<Request Display Source Info>コマンドの送信元である携帯電話端末２に送信する。
【０１３０】
<Report Display Source Info>コマンドをＣＥＣ・Ｉ／Ｆ２５２を介して受け付けた携帯電話端末２の出力制御部２１３１は<Report Display Source Info>コマンドの引数に携帯電話端末２の物理アドレス「2.0.0.0」が含まれていない（すなわち、携帯電話端末２からテレビ１への映像がテレビ１に表示されていない）と判定すると、外部出力データ生成部２１３２およびＴＭＤＳトランスミッタ２５１に処理を停止するよう指示する。
【０１３１】
その後、ユーザによる（２）の操作を受け付けたテレビ１の入力ソース選択部３０４は、ＨＤＭＩスイッチ１１ｄを携帯電話端末２とＨＤＭＩ接続されているＨＤＭＩ端子１１ａに切り替えるとともに、ＲＡＭ１１７の管理テーブルを図７（ｃ）の内容から図７（ｂ）の内容に変更するよう管理テーブル更新部３０３に指示する。そして、入力ソース選択部３０４は、携帯電話端末２の物理アドレス「2.0.0.0」が引数として格納されている<Set Stream Path>コマンドを携帯電話端末２およびＢＤプレーヤ３０に送信する。
【０１３２】
<Active Source>コマンドを送信していないにも関わらず自身の物理アドレス「2.0.0.0」が引数として格納されている<Set Stream Path>コマンドをＣＥＣ・Ｉ／Ｆ２５２を介して受け付けた携帯電話端末２の出力制御部２１３１は、外部出力データ生成部２１３２およびＴＭＤＳトランスミッタ２５１に処理を開始させ、ＴＭＤＳトランスミッタ２５１を介してコンテンツの映像および音声をテレビ１へ出力させる。さらに、出力制御部２１３１は、<Text View On>コマンドおよび<Active Source>コマンドをテレビ１に出力する。
【０１３３】
<Text View On>コマンドおよび<Active Source>コマンドを受け付けたテレビ１の入力ソース選択部３０４は、携帯電話端末２からの映像をＬＣＤ１１０に表示するよう制御し、<Set Stream Path＞コマンドを携帯電話端末２に出力する。
【０１３４】
（システム１０の変形例）
図３（ｂ）に示すシステム１０のうちテレビ１をテレビ１’に置き換えたシステム（以下、「変形例に係るシステム」と称する）について図１２を参照しながら説明する。テレビ１’は、異なる２つの入力ソースからの映像をＬＣＤ１１０の左画面と右画面とに同時に表示することを可能にする２画面表示機能を備えている。また、図１２は、テレビ１’の構成を示すブロック図である。
【０１３５】
最初にテレビ１’の構成について説明する。テレビ１’はテレビ１と略同等の機能を備えているが、テレビ１’は２つのＨＤＭＩレシーバ１００ａ、１００ｂと、２つのＨＤＭＩスイッチ（すなわち、ＨＤＭＩレシーバ１００ａに接続されているＨＤＭＩスイッチ１１ｄ、および、ＨＤＭＩレシーバ１００ｂに接続されているＨＤＭＩスイッチ１１ｅ）を備えている点が異なっている。
【０１３６】
そして、テレビ１’の映像セレクタ１０７’は、（１）ＨＤＭＩレシーバ１００ａから供給された映像、（２）ＨＤＭＩレシーバ１００ｂから供給された映像、（３）映像入力端子１０１ａから供給された映像、（４）ＢＤドライブ１０２から供給された映像、（５）チューナ１０３から供給された映像、（６）ＩＰ放送チューナ１０４から供給された映像、及び、（７）衛星放送チューナ１０５から供給された映像のうちの何れか１つまたは任意の２つを選択することが可能である点でテレビ１の映像セレクタ１０７と異なっている。なお、テレビ１’のその他の構成についてはテレビ１の構成と同等であるので、説明を省略する。
【０１３７】
次に、変形例に係るシステムの全体の動作例について図１４のシーケンス図を参照しながら説明する。図中において［ＴＶ］［ケータイ］［プレーヤ］は、それぞれ、コマンドの引数に含まれるテレビ１’、携帯電話端末２、ＢＤプレーヤ３０の物理アドレスを示している。なお、ここでの変形例に係るシステムの全体の動作例とは、テレビ１の入力ソースとして携帯電話端末２およびＢＤプレーヤ３０の２つが選択されている状態（図１０（ａ）のようにテレビ１の左画面にＢＤプレーヤ３０からの映像が表示され、テレビ１の右画面に携帯電話端末２からの映像が表示されている状態）において、ユーザにより順に以下の（１）（２）の各操作が行われる場合における、各操作に応じた動作であることを述べておく。
（１）テレビ１の左画面の入力ソースをＢＤプレーヤ３０からチューナ１０３に切り替えることにより、図１０中段の図のようにテレビ１の左画面にテレビ放送の映像を表示する操作。
（２）テレビ１の右画面の入力ソースを携帯電話端末２からＢＤプレーヤ３０に切り替えることにより、図１０下段の図のようにテレビ１の右画面のＢＤプレーヤ３０からの映像を表示する操作。
【０１３８】
最初にユーザによる（１）の操作を受け付けたテレビ１の入力ソース選択部３０４は、映像セレクタ１０７に、ＨＤＭＩレシーバ１００ａから供給される映像（ここでは、ＢＤプレーヤ３０からの映像）に代えてチューナ１０３からの映像を選択させるともに、ＲＡＭ１１７の管理テーブルを図７（ｂ）の内容に変更するよう管理テーブル更新部３０３に指示する。そして、入力ソース選択部３０４は、テレビ１’の物理アドレス「0.0.0.0」が引数として格納されている<Set Stream Path>コマンドを携帯電話端末２およびＢＤプレーヤ３０に送信する。
【０１３９】
自身の物理アドレス「2.0.0.0」が引数として格納されていない<Set Stream Path>コマンドをＣＥＣ・Ｉ／Ｆ２５２を介して受け付けた携帯電話端末２の出力制御部２１３１は、引数に自身の物理アドレス「2.0.0.0」を格納した<Request Display Source Info>コマンドをＣＥＣ・Ｉ／Ｆ２５２を介してテレビ１に出力する。
【０１４０】
ＣＥＣ・Ｉ／Ｆ１５２を介して<Request Display Source Info>コマンドを受け付けたテレビ１の表示ソース情報供給部３０５は、ＲＡＭ１１７に記録されている図７（ｂ）の内容の管理テーブルを参照する。そして、表示ソース情報供給部３０５は、映像を表示中である携帯電話端末２の物理アドレス「2.0.0.0」と、テレビ１自身の物理アドレス「0.0.0.0」と、を引数とする<Report Display Source Info>コマンドを、<Request Display Source Info>コマンドの送信元である携帯電話端末２に送信する。
【０１４１】
<Report Display Source Info>コマンドをＣＥＣ・Ｉ／Ｆ２５２を介して受け付けた携帯電話端末２の出力制御部２１３１は<Report Display Source Info>コマンドの引数に携帯電話端末２の物理アドレス「2.0.0.0」が含まれていると判定する。この場合、出力制御部２１３１は、特別な処理を行わず、継続して外部出力データ生成部２１３２およびＴＭＤＳトランスミッタ２５１に処理をさせる。
【０１４２】
その後、ユーザによる（２）の操作を受け付けたテレビ１の入力ソース選択部３０４は、ＨＤＭＩスイッチ１１ｅを、ＢＤプレーヤ３０とＨＤＭＩ接続されているＨＤＭＩ端子１１ｂに切り替えるとともに、ＲＡＭ１１７の管理テーブルを図７（ｂ）の内容から図７（ｃ）の内容に変更するよう管理テーブル更新部３０３に指示する。そして、入力ソース選択部３０４は、ＢＤプレーヤ３０の物理アドレス「1.0.0.0」が引数として格納されている<Set Stream Path>コマンドを携帯電話端末２およびＢＤプレーヤ３０に送信する。
【０１４３】
自身の物理アドレス「1.0.0.0」が引数として格納されている<Set Stream Path>コマンドを受け付けたＢＤプレーヤ３０は、ＢＤプレーヤ３０が再生しているＢＤの映像および音声をテレビ１に出力するとともに、<Text View On>コマンドおよび<Active Source>コマンドをテレビ１に出力する。
【０１４４】
一方、自身の物理アドレス「2.0.0.0」が引数として格納されていない<Set Stream Path>コマンドをＣＥＣ・Ｉ／Ｆ２５２を介して受け付けた携帯電話端末２の出力制御部２１３１は、引数に自身の物理アドレス「2.0.0.0」を格納した<Request Display Source Info>コマンドをＣＥＣ・Ｉ／Ｆ２５２を介してテレビ１に出力する。
【０１４５】
ＣＥＣ・Ｉ／Ｆ１５２を介して<Request Display Source Info>コマンドを受け付けたテレビ１の表示ソース情報供給部３０５は、ＲＡＭ１１７に記録されている図７（ｂ）の内容の管理テーブルを参照する。そして、表示ソース情報供給部３０５は、映像を表示中であるＢＤプレーヤ３０の物理アドレス「1.0.0.0」と、テレビ１自身の物理アドレス「0.0.0.0」と、を引数とする<Report Display Source Info>コマンドを、<Request Display Source Info>コマンドの送信元である携帯電話端末２に送信する。
【０１４６】
<Report Display Source Info>コマンドをＣＥＣ・Ｉ／Ｆ２５２を介して受け付けた携帯電話端末２の出力制御部２１３１は<Report Display Source Info>コマンドの引数に携帯電話端末２の物理アドレス「2.0.0.0」が含まれていない（すなわち、携帯電話端末２からテレビ１へ供給している映像がテレビ１に表示されていない）と判定すると、外部出力データ生成部２１３２およびＴＭＤＳトランスミッタ２５１に処理を停止するよう指示する。
【０１４７】
（携帯電話端末２がテレビ１に供給する映像がテレビ１に表示されていない場合の処理について）
携帯電話端末２がテレビ１に供給する映像がテレビ１に表示されていない場合、携帯電話端末２では外部出力データ生成部２１３２およびＴＭＤＳトランスミッタ２５１が処理を停止するものとしたが、携帯電話端末２は、これに加え（あるいは、これに代えて）、他の処理、例えば、以下の（ａ）および／または（ｂ）の処理を行っても良い。
【０１４８】
（ａ）内部出力データ生成部２１３３に処理を再開させる。すなわち、携帯電話端末２がテレビ１に供給している映像がテレビ１に表示されている間は内部出力データ生成部２１３３にコンテンツの映像を生成させず（すなわち、携帯電話端末２のＬＣＤ２２１にコンテンツの映像を表示させず）、携帯電話端末２がテレビ１に供給している映像がテレビ１に表示されなくなると、内部出力データ生成部２１３３にコンテンツの映像を生成させて、携帯電話端末２のＬＣＤ２２１にコンテンツの映像を表示させる。
【０１４９】
（ｂ）商用電源から電力が供給されていない場合に、テレビ１からＨＰＤラインを通じて５Ｖの電力供給を受けることにより、電池２１９を充電する。
【０１５０】
以下、上記（ｂ）の処理について、図１５を参照しながら具体的に説明する。図１５は、携帯電話端末２からテレビ１に供給される映像がテレビ２のＬＣＤ１１０に表示されなくなった場合に、携帯電話端末２とテレビ１とが協調して行う、携帯電話端末２を充電する処理を示すフローチャートである。
【０１５１】
ステップＳ２１：最初に、メインコントローラ２１３は、５Ｖ電力制御部２５５がＨＤＭＩ端子２１の５Ｖ電力ピンの電圧を０Ｖに制御する。
【０１５２】
ステップＳ２２：テレビ１の５Ｖ電力検知部１５５は、ＨＤＭＩ端子１１ａおよび１１ｂについて５Ｖ電力ピンの電圧が５Ｖから０Ｖに立ち下がったことを検知する。
【０１５３】
ステップＳ２３：５Ｖ電力検知部１５５が立ち下がりを検出すると、ＣＰＵ１１８は、ＲＡＭ１１７の管理テーブルを参照し、５Ｖ電力ピンの電圧が立ち下がったＨＤＭＩ端子に接続されている入力ソースのデバイスタイプが「Mobile phone」であるか否かを判定する。デバイスタイプが「Mobile phone」でないと判定された場合（ステップＳ２３においてＮＯ）、処理を終了する。一方、デバイスタイプが「Mobile phone」であると判定された場合、ステップＳ２４に進む。
【０１５４】
ステップＳ２４：ＨＰＤ制御部１５４は、５Ｖ電力ピンの電圧が立ち下がったＨＤＭＩ端子のＨＰＤピンをＨレベルに立ち上げることにより、該ＨＤＭＩ端子にＨＤＭＩ接続されている携帯電話端末２に対し、ＨＤＭＩケーブル３のＨＰＤラインを通じて電力を供給する。
【０１５５】
ステップＳ２５：ＨＤＭＩ端子２１は、ＨＰＤピンから電力の供給を受ける。
【０１５６】
ステップＳ２６：充電回路２１６は、電源端子２２から電力の供給を受けている場合（ステップＳ２６においてＹＥＳ）、そのまま電源端子から供給されている電力を電池２１９の充電に用いる。一方、電源端子２２から電力の供給を受けていない場合、充電回路２１６は、ＨＤＭＩ端子２１に供給されている電力を電池２１９に供給する。
【０１５７】
以上のように、携帯電話端末２がＨＤＭＩケーブル３を介してテレビ１に供給する映像がテレビ１に表示されていない場合、商用電源の電力が供給されていない携帯電話端末２は、ＨＤＭＩケーブル３のＨＰＤピンを介してテレビ１から電力の供給を受け、この電力を用いて電池２１９を充電することができる。
【０１５８】
（携帯電話端末２の利点）
以上のように、携帯電話端末２は、メインコントローラ２１３が再生した映像をテレビ１に供給するＴＭＤＳトランスミッタ２５１（映像供給部）と、ＴＭＤＳトランスミッタ２５１がテレビ１に供給した映像をテレビ１がＬＣＤ１１０に表示していない場合にその旨を示す情報を、引数に携帯電話端末２の物理アドレスを含まないＲｅｐｏｒｔ・Ｄｉｓｐｌａｙ・Ｓｏｕｒｃｅ・Ｉｎｆｏコマンドとして返却するようテレビ１に指示する出力制御部２１３１と、を備えている。テレビ１に対する出力制御部２１３１（指示手段）の指示は、Ｒｅｑｕｅｓｔ・Ｄｉｓｐｌａｙ・Ｓｏｕｒｃｅ・Ｉｎｆｏコマンドにより行う。
【０１５９】
したがって、携帯電話端末２は、再生した映像がテレビ１に表示されていないことを認識することができるという効果を奏する。
【０１６０】
（携帯型情報端末を利用したテレビ及びソース機器の制御）
テレビ１は、上述したようにリモコンを用いて操作してもよいが、スマートフォンやタブレット型ＰＣ等の携帯型情報端末を用いて操作してもよい。
【０１６１】
図１６は、携帯型情報端末５を利用してテレビ１を操作することが可能なシステム１０’の構成を示す図である。図１６に示すように、システム１０’は、テレビ１、ソース機器である携帯電話端末２、携帯型情報端末５及びルータ７を含んでいる。ソース機器は、携帯電話端末２であってもよいが、携帯電話端末以外のソース機器、例えば、レコーダ等であってもよい。テレビ１は、商用電源に接続して利用する据え置き型のテレビであってもよいし、バッテリーを内蔵したポータブルテレビ（外付チューナから無線ＬＡＮを介して送出される映像を再生するモニタを含む）であってもよい。
【０１６２】
図１６に示すシステム１０’において、テレビ１と携帯電話端末２とは、ＨＤＭＩケーブル３によって互いに接続されている。テレビ１と携帯電話端末２とが、このＨＤＭＩケーブル３を介して伝送されるＣＥＣコマンドを用いて相互に制御しあう点は、図３（ａ）および図３（ｂ）に示したシステム１０と同様である。
【０１６３】
図１６に示すシステム１０’においては、更に、テレビ１と携帯型情報端末５とが互いに通信可能に構成されている。テレビ１と携帯型情報端末５との間の通信をサポートする通信媒体は特に限定されないが、ここでは、テレビ１と携帯型情報端末５との間にルータ７を介在させ、テレビ１とルータ７とをイーサネットケーブル６によって接続し、ルータ７と携帯型情報端末５とをＩＥＥＥ８０２．１１シリーズ等の無線ＬＡＮによって接続している。なお、テレビ１が無線ＬＡＮインターフェースを備えている場合には、テレビ１とルータ７とを無線ＬＡＮによって接続する構成、あるいは、ルータ７を介さずにテレビ１と携帯型情報端末５とを無線ＬＡＮによって接続する構成も可能である。
【０１６４】
テレビ１及び携帯型情報端末５は、ＵＰｎＰ（Universal Plug and Play）をサポートしていることが好ましい。この場合、携帯型情報端末５は、ルータ４のサービスエリア内に入ると、ＳＤＤＰ等のプロトコルを用いてルータ７に接続されたテレビ１を自動的に検出することができる。この際、携帯型情報端末５は、テレビ１の機器名を取得する。
【０１６５】
携帯型情報端末５には、携帯型情報端末５をテレビ１のリモコンのように機能させるためのアプリケーション（以下「リモコンアプリ」と記載）がインストールされている。リモコンアプリが起動された後にテレビ１を検出した場合、あるいは、テレビ１を検出した後にリモコンアプリが起動された場合、携帯型情報端末５によるテレビ１の操作（ＩＰコントロール）が可能になる。なお、ＬＡＮ内にテレビ１等のＵＰｎＰ対応機器が複数存在している場合、携帯型情報端末５は、それらＵＰｎＰ対応機器の機器名のリストを表示し、ユーザに操作対象機器を選択させる。
【０１６６】
携帯型情報端末５上で動作するリモコンアプリにより生成され、携帯型情報端末５のタッチパネルに表示される表示画面の例を図１７（ａ）に示す。この表示画面は、リモコンをエミュレートしたものであり、「テレビ電源」と記された電源キー、「−」「＋」と記された音量調整キー、「１」〜「１２」が放送局名と共に記されたチャンネルキーなど、テレビ１を操作するための各種キーが設けられている。例えば、「１」と記されたチャンネルキーが押下されると、リモコンアプリは、チャンネルを１チャンネルに切り替えることを指示する制御コマンドをテレビ１に送信する。テレビ１は、受信した制御コマンドに従って、チャンネルを１チャンネルに切り替える。この際、テレビ１においては、図５に示すイーサネットＩ／Ｆ１１５及びＣＰＵ１１８が制御コマンド受信手段として機能する。
【０１６７】
リモコンアプリは、テレビ１を操作する機能の他に、携帯電話端末２を操作する機能も有している。具体的には、図１７（ａ）に示す表示画面の下部に設けられた「リンク操作」キーを押下すると、図１７（ｂ）に示す表示画面が現れる。図１７（ｂ）に示す表示画面には、早戻しキー、再生キー、早送りキーなど、携帯電話端末２を操作するための各種キーが設けられている。例えば、再生キーが押下されると、リモコンアプリは、対象コンテンツの再生開始を指示する制御コマンドをテレビ１に送信する。テレビ１は、受信した制御コマンドをこれに相当するＣＥＣコマンドに変換し、得られたＣＥＣコマンドを携帯電話端末２に送信する。携帯電話端末２は、受信したＣＥＣコマンドに従って対象コンテンツの再生を開始する。この際、テレビ１においては、図５に示すイーサネットＩ／Ｆ１１５、ＣＰＵ１１８、及びＨＤＭＩレシーバ１００が制御コマンド転送手段として機能する。
【０１６８】
ソース機器を操作するための表示画面に関して、テレビ１がソース機器の論理アドレス及び／又はデバイスタイプを携帯型情報端末５に通知し、携帯型情報端末５上で動作するリモコンアプリがソース機器の論理アドレス及び／又はデバイスタイプに応じた表示画面を表示するようにしてもよい。これにより、どのようなタイプのソース機器がテレビ１にＨＤＭＩ接続された場合であっても、そのタイプのソース機器の操作に適したリモコンとして携帯型情報端末５を機能させることが可能になる。
【０１６９】
なお、携帯型情報端末５上で動作するリモコンアプリは、従来の赤外線リモコンをエミュレートすることを基本としたものであるが、従来の赤外線リモコンにはなかった機能をも有し得る。従来の赤外線リモコンが有する機能の他に、例えば、以下のような機能をリモコンアプリに持たせることができる。
【０１７０】
１．ＵＲＬジャンプ機能、すなわち、テレビ１上で動作するウェブブラウザを起動し、指定したＵＲＬにアクセスさせる機能。
【０１７１】
２．ＴＶ状態取得機能、すなわち、テレビ１のステータス情報（例えば、前述のソース表示情報）、設定情報、及びイベント情報を取得する機能。
【０１７２】
３．文字入力機能、すなわち、ソフトウェアキーボードを用いた文字列の入力を受け付け、入力された文字列をテレビ１に送信する機能。
【０１７３】
４．インフォメーション通知機能、すなわち、携帯型情報端末５において電話着信イベントやメール受信イベントが発生した際に、当該イベントの発生をテレビ１に通知する機能。
【０１７４】
５．シームレス検索機能、すなわち、キーワードにより番組情報、録画リスト、ＶＯＤタイトル、インターネットから検索した結果を表示する機能。
【０１７５】
６．フレンドリネーム設定機能、すなわち、テレビ１側のフレンドリネーム（機器リスト名）を、携帯型情報端末５を用いて設定する機能。
【０１７６】
なお、以上の説明では、携帯型情報端末５と携帯電話端末２とがルータ７及びテレビ１を介して通信するものとしたが、携帯型情報端末５と携帯電話端末２とが無線ＬＡＮを用いて直接通信する構成を採用してもよい。この場合、携帯電話端末２を操作するための制御コマンドを携帯型情報端末５から携帯電話端末２に直接送信することも可能になる。
【０１７７】
このような制御コマンドの例として、前述の<Request Display Source Info>コマンドをテレビ１に向けて送信するように携帯電話端末２を制御する制御コマンドが挙げられる。すなわち、リモコンアプリにＴＶ状態取得機能を持たせる場合において、携帯電話端末２は、コンテンツを再生中に携帯型情報端末５から上記制御コマンドを受信したときに、表示ソース情報を取得するコマンドである<Request Display Source Info>コマンドを、上記コンテンツの供給先であるテレビ１に送信してもよい。
【０１７８】
（付記事項）
なお、上記実施形態において、テレビ１は、<Request Display Source Info>コマンドを受け付けると、該コマンドの送信元に<Report Display Source Info>コマンドを返却するものと説明した。ただし、テレビ１は必ずしも<Report Display Source Info>コマンドを返却しなくてもよい。すなわち、テレビ１の表示ソース情報供給部３０５は、<Request Display Source Info>コマンドの引数に格納されている物理アドレスを参照し、ＲＡＭ１１７の管理テーブル上で、参照した物理アドレスと関連づけられているデバイスタイプが「Mobile Phone」である場合に限り、<Report Display Source Info>コマンドを送信元に返却してもよい。
【０１７９】
また、テレビ１のＣＰＵ１１８に図示しないベンダＩＤ取得部（メーカー識別手段）を設け、携帯電話端末２がテレビ１に接続されたときに、ベンダＩＤ取得部が<Give Device Vendor ID>コマンドを携帯電話端末２に発行することにより、携帯電話端末２のメーカーを識別するベンダＩＤを通知する<Report Vendor ID>を携帯電話端末２から取得してもよい。そして、ＲＡＭ１１７の管理テーブルに、「物理アドレス」「論理アドレス」「デバイスタイプ」「オンディスプレイ情報」の各値とともに、「ベンダＩＤ」を関連づけて記憶してもよい。また、テレビ１の表示ソース情報供給部３０５は、<Request Display Source Info>コマンドが送られてきた場合に、引数に格納されている物理アドレスを参照し、ＲＡＭ１１７の管理テーブル上で、参照した物理アドレスと関連づけられているベンダＩＤが特定のメーカー（例えば「シャープ」）を表わすベンダＩＤである場合に限り、<Report Display Source Info>コマンドを送信元(シャープ製の携帯電話端末)に返却してもよい。
【０１８０】
また、テレビ１は、携帯電話端末２がテレビ１に供給している映像をＬＣＤ１１０に表示している場合に、携帯電話端末２に送信すべき<Report Display Source Info>コマンドに引数に携帯電話端末２の物理アドレスを含めるものとしたが、テレビ１は、これに限定されない。すなわち、携帯電話端末２がテレビ１に供給している映像をＬＣＤ１１０に表示している場合であってもテレビ１の周囲の状況によっては携帯電話端末２の物理アドレスを<Report Display Source Info>コマンドの引数に含めないようにしてもよい。
【０１８１】
携帯電話端末２の物理アドレスを<Report Display Source Info>コマンドの引数に含めないようにしてもよい場合の具体例としては、人感センサ１２１が周囲に人がいることを検知していない場合、照度が非常に高い（所定の閾値より高い）ことを照度センサ１２２が検出した場合（すなわち、周囲が明る過ぎてテレビ１のＬＣＤ１１０に表示される映像を見にくいような場合）が挙げられる。
【０１８２】
これらの場合、携帯電話端末２は、自身の物理アドレスが引数に含まれていない<Report Display Source Info>コマンドを受け取ることになるので、たとえテレビ１に供給している映像がＬＣＤ１１０に表示されていても、外部出力データ生成部２１３２およびＴＭＤＳトランスミッタ２５１の処理を停止させることになる。これにより、ＴＭＤＳトランスミッタ２５１がテレビ１に無駄に映像を供給してしまう（すなわち、ＴＭＤＳトランスミッタ２５１が無駄に電力を浪費する）ことを防ぐことができる。
【０１８３】
また、携帯電話端末２は、自身の物理アドレスが引数に含まれていない<Report Display Source Info>コマンドを受け取った場合、外部出力データ生成部２１３２およびＴＭＤＳトランスミッタ２５１の処理を停止させるのではなく、メインコントローラ２１３にてテレビ１に供給すべき映像信号の輝度値を通常より小さくして映像信号をテレビ１に供給するようにしてもよい。また、携帯電話端末２をこのように動作させる場合には、テレビ１は、さらに、以下の場合に、携帯電話端末２の物理アドレスを<Report Display Source Info>コマンドの引数に含めないようにしてもよい。
【０１８４】
すなわち、テレビ１は、画質調整モードとして、映画の表示に適した映画モードやゲームの表示に適したテレビゲームモード、その他のモードなどを備えていてもよいが、映画モードやテレビゲームモード等の所定のモードに設定されている状態で、携帯電話端末２から<Request Display Source Info>コマンドを受け付けた場合に、携帯電話端末２の物理アドレスを<Report Display Source Info>コマンドの引数に含めないようにしてもよい。
【０１８５】
このようにすると、テレビ１の画質調整モードが映画モードやテレビゲームモードに設定されている状態で携帯電話端末２がテレビ１に<Request Display Source Info>コマンドを送った場合、最終的に輝度が通常より小さい映像信号をテレビ１に供給することになる。これにより、テレビ１に表示される映像の輝度が低減するので、テレビ１での電力消費を低減することができ、かつ、鑑賞者（例えば、画質調整モードをテレビゲームモードに設定してテレビゲームをしている子供）の目を守ることになる。
【０１８６】
また、携帯電話端末２は、ＤＴＶ部２２４からワンセグ放送の放送コンテンツを受信した場合、放送コンテンツのデータに含まれるジャンル情報を参照し、ジャンル情報が「ニュース」や「天気予報」「アニメ」等の所定のジャンルに設定されている場合に、テレビ１に供給すべき映像信号の輝度値を通常より小さくしてもよい。
【０１８７】
また、携帯電話端末２がテレビ１に供給する映像がテレビ１に表示されていない場合に、出力制御部２１３１はＴＭＤＳトランスミッタ２５１の処理を停止させるものとしたが、出力制御部２１３１は、ＴＭＤＳトランスミッタ２５１を含めＨＤＭＩトランスミッタ２００全体の処理を停止させるような構成にしてもよい。
【０１８８】
なお、システム１０’において、携帯電話端末２がテレビ１に供給している映像をＬＣＤ１１０に表示している場合であってもテレビ１の周囲の状況によっては携帯電話端末２の物理アドレスを<Report Display Source Info>コマンドの引数に含めないようテレビ１を構成する場合、システム１０’は、ユーザがリモコンアプリを操作することによって携帯電話端末２の無駄な電力消費を抑制できるというさらなる利点を有することになる。
【０１８９】
例えば、システム１０’において、人感センサ１２１がテレビ１の周囲に人がいることを検知していない場合に映像信号の供給元であるソース機器の物理アドレスを<Report Display Source Info>コマンドの引数に含めないようにテレビ１を構成するときに、次のような状況が想定される。すなわち、システム１０’において、テレビ１が設置されている部屋に誰も居ないにも関わらず携帯電話端末２がテレビ１に映像信号を供給しており、さらに、携帯型情報端末５を利用しているユーザが別の部屋に居るという状況が想定される。
【０１９０】
このような状況において、ユーザが、リモコンアプリを用いて、テレビ１から表示ソース情報を取得するよう携帯電話端末２に指示を与えた場合、携帯電話端末２がテレビ１から受信する<Report Display Source Info>コマンドには携帯電話端末２の物理アドレスが含まれていない。そのため、携帯電話端末２は、テレビ１に映像信号を供給するのを停止したり、供給する映像信号の輝度値を小さくしたりすることになる。したがって、ユーザは、テレビ１が設置されている部屋とは別の部屋に居ても、リモコンアプリを用いてテレビ１の無駄な電力消費を抑えることができると言える。
【０１９１】
また、上記実施形態では、テレビ１が人感センサ１２１と照度センサ１２２とを備えているものとしたが、人感センサ１２１や照度センサ１２２などはテレビ１の外部のセンサであってもよい。この場合、テレビ１に図示しないセンサ入力端子を備え、センサ入力端子から人感センサ１２１や照度センサ１２２などからのセンサ信号がテレビ１に入力されるようになっていればよい。
【０１９２】
なお、本発明の再生装置の一実施形態として携帯電話端末２を示したが、再生装置は携帯電話端末２に限定されない。すなわち、本発明は、無線接続または有線接続により、表示装置に映像と表示装置を制御するコマンドと、を供給することが可能な再生装置であって、そのようなコマンドにより、再生装置が供給した映像を表示装置が表示しているか否かを示す情報を自装置に通知するよう表示装置を制御する再生装置であればよい。
【０１９３】
最後に、携帯電話端末２の各ブロックは、集積回路（ＩＣチップ）上に形成された論理回路によってハードウェア的に実現してもよいし、メインコントローラ２１３をＣＰＵ（Central Processing Unit）を用いてソフトウェア的に実現してもよい。
【０１９４】
後者の場合、携帯電話端末２は、メインコントローラ２１３の各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである携帯電話端末２の制御プログラムのプログラムコード（実行形式プログラム、中間コードプログラム、ソースプログラム）をコンピュータで読み取り可能に記録した記録媒体を、上記携帯電話端末２に供給し、そのコンピュータ（またはＣＰＵやＭＰＵ）が記録媒体に記録されているプログラムコードを読み出し実行することによっても、達成可能である。
【０１９５】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１９６】
また、携帯電話端末２を通信ネットワークと接続可能に構成し、通信ネットワークを介して上記プログラムコードを供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１９７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１９８】
本発明に係る再生装置は、シンク機器に映像を出力するソース機器一般に利用することができる。
【符号の説明】
【０１９９】
１              テレビ（表示装置）
１０９            ＬＣＤコントローラ（表示制御手段）
１１０            ＬＣＤ（表示部）
１１８            ＣＰＵ
３０１                アドレス取得部
３０２                デバイスタイプ取得部
３０３                管理テーブル更新部
３０４                入力ソース選択部
３０５                表示ソース情報供給部（判定手段）
２              携帯電話端末（再生装置）
２１              ＨＤＭＩ出力端子
２２              電源端子
２００            ＨＤＭＩトランスミッタ
２０１            マイクロＵＳＢ端子
２０２            マイクロＵＳＢ・Ｉ／Ｆ
２０３            Ｂｌｕｅｔｏｏｔｈ・Ｉ／Ｆ
２０４            ＷＬＡＮ・Ｉ／Ｆ
２０５            メモリカード
２０６            ＵＳＩＭカード
２０７            ＧＰＳ
２１１            ＲＦ部
２１２            音声ＣＯＤＥＣ
２１３            メインコントローラ
２１３１              出力制御部（指示手段、給電制御手段）
２１３２              外部出力データ生成部
２１３３              内部出力データ生成部
２１４            ＲＴＣ部
２１５            キースキャン部
２１６            充電回路
２１７            電源レギュレータ
２１８            電源残量検出部
２１９            電池（電力源）
２２０            ＬＣＤコントローラ
２２１            ＬＣＤ
２２２            タッチパネル
２２３            カメラ
２２４            ＤＴＶ部
２２５            ＦＬＡＳＨメモリ
２２６            ＲＡＭ
２２７            スピーカ
２５１                ＴＭＤＳトランスミッタ（映像供給部）
２５２                ＣＥＣ・Ｉ／Ｆ
２５３                ＤＤＣ・Ｉ／Ｆ
２５４                ＨＰＤ検知部
２５５                ５Ｖ電力制御部
３０            ＢＤプレーヤ（再生装置）
【要約】
【課題】携帯電話端末等の再生装置において、再生装置が表示装置に供給している再生映像を表示装置が表示していないことの認識を可能にする。
【解決手段】シンク機器に映像を供給する携帯電話端末２は、テレビ１に供給している映像をテレビ１が表示しているか否かを問い合わせるベンダ独自のＣＥＣコマンドであるＲｅｑｕｅｓｔ・Ｄｉｓｐｌａｙ・Ｓｏｕｒｃｅ・ＩｎｆｏコマンドをＣＥＣ・Ｉ／Ｆ２５２を介してテレビ１に供給するよう制御する出力制御部２１３１を備えている。出力制御部２１３１は、問い合わせの結果をベンダ独自のＣＥＣコマンドであるＲｅｐｏｒｔ・Ｄｉｓｐｌａｙ・Ｓｏｕｒｃｅ・ＩｎｆｏコマンドとしてＣＥＣ・Ｉ／Ｆ２５２を介して取得する。
【選択図】図２【図１】
0004834187.tif 000003
【図２】
0004834187.tif 000004
【図３】
0004834187.tif 000005
【図４】
0004834187.tif 000006
【図５】
0004834187.tif 000007
【図６】
0004834187.tif 000008
【図７】
0004834187.tif 000009
【図８】
0004834187.tif 000010
【図９】
0004834187.tif 000011
【図１０】
0004834187.tif 000012
【図１１】
0004834187.tif 000013
【図１２】
0004834187.tif 000014
【図１３】
0004834187.tif 000015
【図１４】
0004834187.tif 000016
【図１５】
0004834187.tif 000017
【図１６】
0004834187.tif 000018
【図１７】
0004834187.tif 000019